(57)【要約】複数のアップリンクキャリアとのタイムアライメントの維持について企図される。単一のタイミングアドバンス（ＴＡ）で動作するアップリンクキャリアのグループ（ＵＬ  ＣＣセット）が決定されてよく、ＴＡ値が、特定のＵＬ  ＣＣセットに適用されてよい。ワイヤレス送受信ユニット（ＷＴＲＵ）が複数のＴＡを使用できることによって、各ＵＬ  ＣＣセットごとに数ビットのグループインデックスを定義することができる。ランダムアクセス応答メッセージで受信されたＴＡコマンドは、ＵＬ  ＣＣセットの各ＵＬキャリアにＴＡ値を適用するために使用されてよい。ＷＴＲＵは、どのＤＬキャリアからコマンドが送信されたかに基づいて、ＴＡ値がどのＵＬ  ＣＣセットに適用されるか決定してよい。ＷＴＲＵは、コマンドで明示的に提供されているグループインデックスに基づいて、ＴＡ値がどのＵＬ  ＣＣ  セットに適用されるか決定することができる。ＷＴＲＵは、タイムアライメントタイマ（ＴＡＴ）が終了すると、マルチＣＣ構成を解放してよい。
2013516917.tif 000002
【特許請求の範囲】
【請求項１】
プロセッサを備えるワイヤレス送受信ユニット（ＷＴＲＵ）であって、前記プロセッサは、少なくとも一部は、
前記ＷＡＴＵが動作可能な１つまたは複数のアップリンクキャリアを識別し、
１つまたは複数のアップリンクコンポーネントキャリアセット（ＵＬ  ＣＣセット）を決定するように構成され、前記ＵＬ  ＣＣセットはそれぞれ、前記アップリンクキャリアのうちの１つまたは複数を備え、各々のＵＬ  ＣＣセットを備える前記１つまたは複数のアップリンクキャリアはそれぞれ、同じタイミングアドバンス（ＴＡ）で動作可能であることを特徴とするＷＴＲＵ。
【請求項２】
前記プロセッサは、前記１つまたは複数のアップリンクキャリアのうちのどれが前記１つまたは複数のＵＬ  ＣＣセットに対応するかの所定の識別に基づいて前記１つまたは複数のＵＬ  ＣＣセットを決定するようにさらに構成されることを特徴とする請求項１に記載のＷＴＲＵ。
【請求項３】
前記プロセッサは、少なくとも１つのインデックスを受信するようにさらに構成され、前記少なくとも１つのインデックスは、前記１つまたは複数のＵＬ  ＣＣセット、および前記１つまたは複数のＵＬ  ＣＣセットのうちの前記少なくとも１つを備える前記１つまたは複数のアップリンクキャリアのうちの少なくとも１つに対応することを特徴とする請求項１に記載のＷＴＲＵ。
【請求項４】
前記プロセッサは、
少なくとも１つのＵＬ  ＣＣセットを選択し、
前記選択された少なくとも１つのＵＬ  ＣＣについてランダムアクセスチャネル（ＲＡＣＨ）通信ができる前記１つまたは複数のアップリンクキャリアのうちの少なくとも１つを識別し、
前記選択された少なくとも１つのＵＬ  ＣＣについて前記識別された１つまたは複数のアップリンクキャリアのうちの少なくとも１つのキャリア上でＲＡＣＨ通信を開始し、
前記ＲＡＣＨ通信に応答してＴＡ値を受信するようにさらに構成されることを特徴とする請求項１に記載のＷＴＲＵ。
【請求項５】
前記プロセッサは、前記選択された少なくとも１つのＵＬ  ＣＣセットを備える前記１つまたは複数のアップリンクキャリアのそれぞれに前記ＴＡ値を適用するようにさらに構成されることを特徴とする請求項４に記載のＷＴＲＵ。
【請求項６】
前記ＴＡ値は、前記ＲＡＣＨ通信に応答して受信されたランダムアクセス応答メッセージで受信されたタイミングアドバンスコマンドを使用して適用されることを特徴とする請求項５に記載のＷＴＲＵ。
【請求項７】
前記選択された少なくとも１つのＵＬ  ＣＣセットは、関連するタイムアライメントタイマ（ＴＡＴ）を有しており、前記プロセッサは、前記ＴＡＴを開始し、または前記ＴＡＴを再開するようにさらに構成されることを特徴とする請求項５に記載のＷＴＲＵ。
【請求項８】
前記プロセッサは、
ダウンリンクキャリアを介して、ＴＡ値を含む信号を受信し、
前記ダウンリンクキャリアと対になる前記１つまたは複数のアップリンクキャリアのうちの少なくとも１つを識別し、
前記ダウンリンクキャリアと対になる前記１つまたは複数のアップリンクキャリアのうちの前記少なくとも１つに対応する前記１つまたは複数のＵＬ  ＣＣセットのうちの少なくとも１つを識別し、
前記１つまたは複数のＵＬ  ＣＣセットのうちの前記識別された少なくとも１つを備える前記１つまたは複数のアップリンクキャリアのそれぞれに前記ＴＡ値を適用するようにさらに構成されることを特徴とする請求項１に記載のＷＴＲＵ。
【請求項９】
前記信号は、タイミングアドバンスコマンドメディアアクセス制御（ＭＡＣ）制御要素を含むことを特徴とする請求項１に記載のＷＴＲＵ。
【請求項１０】
前記１つまたは複数のＵＬ  ＣＣセットは、それぞれの周波数帯に対応し、前記プロセッサは、
ダウンリンクキャリアを介して、ＴＡ値を含む信号を受信し、
前記ダウンリンクキャリアに対応する周波数帯を識別し、
その各々の周波数帯が前記ダウンリンクキャリアの前記周波数帯に対応する前記１つまたは複数のＵＬ  ＣＣセットのうちの少なくとも１つを識別し、
前記１つまたは複数の  ＵＬ  ＣＣセットのうちの前記識別された少なくとも１つを備える前記１つまたは複数のアップリンクキャリアのそれぞれに前記ＴＡ値を適用するようにさらに構成されることを特徴とする請求項１に記載のＷＴＲＵ。
【請求項１１】
前記選択された少なくとも１つのＵＬ  ＣＣセットは、個別の物理アップリンク制御チャネル（ＰＵＣＣＨ）構成を有する少なくとも１つのアップリンクキャリアを含み、前記プロセッサは、前記ＴＡＴが終了すると、前記ＰＵＣＣＨに対応するリソース上で送信するのをやめるようにさらに構成されることを特徴とする請求項７に記載のＷＴＲＵ。
【請求項１２】
前記選択された少なくとも１つのＵＬ  ＣＣセットは、個別の物理アップリンク制御チャネル（ＰＵＣＣＨ）構成を有する少なくとも１つのアップリンクキャリアを含み、前記プロセッサは、前記ＴＡＴが終了すると、前記ＰＵＣＣＨ構成の少なくとも一部を削除するようにさらに構成されることを特徴とする請求項７に記載のＷＴＲＵ。
【請求項１３】
前記プロセッサは、前記ＴＡＴが終了すると、選択された少なくとも１つのＵＬ  ＣＣセットの構成から１つまたは複数のＲＡＣＨリソースを削除するようにさらに構成されることを特徴とする請求項７に記載のＷＴＲＵ。
【請求項１４】
タイミングアドバンスを確立するための方法であって、
ワイヤレス通信網上で動作する１つまたは複数のアップリンクキャリアを識別するステップと、
１つまたは複数のアップリンクコンポーネントキャリアセット（ＵＬ  ＣＣセット）を決定するステップであって、前記ＵＬ  ＣＣセットはそれぞれ、前記アップリンクキャリアのうちの１つまたは複数を備え、各々のＵＬ  ＣＣセットを備える前記１つまたは複数のアップリンクキャリアはそれぞれ、同じタイミングアドバンス（ＴＡ）で動作可能である、ステップとを備えることを特徴とする方法。
【請求項１５】
少なくとも１つのＵＬ  ＣＣセットを選択するステップと、
前記選択された少なくとも１つのＵＬ  ＣＣセットについて、ランダムアクセスチャネル（ＲＡＣＨ）通信ができる前記１つまたは複数のアップリンクキャリアのうちの少なくとも１つを識別するステップと、
前記選択された少なくとも１つのＵＬ  ＣＣセットについて、前記識別された１つまたは複数のアップリンクキャリアのうちの少なくとも１つのキャリア上でＲＡＣＨ通信を開始するステップと、
前記ＲＡＣＨ通信に応答してＴＡ値を受信するステップとをさらに備えることを特徴とする請求項１４に記載の方法。
【請求項１６】
前記選択された少なくとも１つのＵＬ  ＣＣセットを備える前記１つまたは複数のアップリンクキャリアのそれぞれに前記ＴＡ値を適用するステップと、
タイムアライメントタイマ（ＴＡＴ）の開始または再開のうちの少なくとも１つを実行するステップであって、前記ＴＡＴは、前記選択された少なくとも１つのＵＬ  ＣＣセットに関連付けられる、ステップと
をさらに備えることを特徴とする請求項１５に記載の方法。
【請求項１７】
ダウンリンクキャリアを介して、ＴＡ値を含む信号を受信するステップと、
前記ダウンリンクキャリアと対になる前記１つまたは複数のアップリンクキャリアのうちの少なくとも１つを識別するステップと、
前記ダウンリンクキャリアと対になる前記１つまたは複数のアップリンクキャリアのうちの前記少なくとも１つに対応する前記１つまたは複数のＵＬ  ＣＣセットのうちの少なくとも１つを識別するステップと、
前記１つまたは複数の  ＵＬ  ＣＣセットのうちの前記識別された少なくとも１つを備える前記１つまたは複数のアップリンクキャリアのそれぞれに前記ＴＡ値を適用するステップと
をさらに備えることを特徴とする請求項１５に記載の方法。
【請求項１８】
プロセッサを備える進化型Ｎｏｄｅ  Ｂ（ｅＮｏｄｅ  Ｂ）であって、前記プロセッサは、少なくとも一部は、
前記ｅＮｏｄｅ  Ｂがそれで動作可能な１つまたは複数のアップリンクキャリアを識別し、
１つまたは複数のインデックスを決定するように構成され、前記１つまたは複数のインデックスの各インデックスは、１つまたは複数のアップリンクコンポーネントキャリアセット（ＵＬ  ＣＣセット）にそれぞれ対応し、ＵＬ  ＣＣセットはそれぞれ、前記アップリンクキャリアのうちの１つまたは複数を備え、各々のＵＬ  ＣＣセットを備える前記１つまたは複数のアップリンクキャリアはそれぞれ、同じタイミングアドバンス（ＴＡ）で動作可能であり、前記プロセッサはさらに、
前記１つまたは複数のインデックスを送信するように構成されたことを特徴とするｅＮｏｄｅ  Ｂ。
【請求項１９】
前記プロセッサは、
前記１つまたは複数のＵＬ  ＣＣセットのうちの少なくとも１つを備える前記１つまたは複数のアップリンクキャリアのうちの少なくとも１つのキャリア上でＲＡＣＨ通信を受信し、
前記ＲＡＣＨ通信に応答してＴＡ値を送信するようにさらに構成され、前記ＴＡ値は、前記１つまたは複数のＵＬ  ＣＣセットのうちの前記少なくとも１つを備える前記１つまたは複数のアップリンクキャリアのそれぞれに適用可能あることを特徴とする請求項１８に記載のｅＮｏｄｅ  Ｂ。
【請求項２０】
前記プロセッサは、
信号を送信するようにさらに構成され、前記信号はＴＡ値とインジケータとを含み、前記インジケータは、前記ＴＡ値が適用可能である前記１つまたは複数のＵＬ  ＣＣセットのうちの少なくとも１つを示すことを特徴とする請求項１８に記載のｅＮｏｄｅ  Ｂ。
【発明の詳細な説明】
【技術分野】
【０００１】
本発明は、複数のアップリンクキャリアとのタイムアライメントの維持に関する。
【背景技術】
【０００２】
関連出願の相互参照
本出願は、２０１０年１月８日に出願された米国特許仮出願第６１／２９３２７１号明細書、「METHOD OF MAINTAINING TIME ALIGNMENT WITH MULTIPLE UPLINK CARRIERS」、２０１０年４月２日に出願された米国特許仮出願第６１／３２０４４９号明細書、「METHOD AND APPARATUS FOR MAINTAINING TIME ALIGNMENT WITH MULTIPLE UPLINK CARRIERS」、および２０１０年４月１３日に出願された米国特許仮出願第６１／３２３６８０号明細書、「METHOD AND APPARATUS FOR MAINTAINING TIME ALIGNMENT WITH MULTIPLE UPLINK CARRIERS」の優先権を主張するものであり、３つのすべての出願の内容は、参照により各々の全体が本明細書に事実上組み込まれている。
【０００３】
ＬＴＥ（Ｌｏｎｇ  Ｔｅｒｍ  Ｅｖｏｌｕｔｉｏｎ）ワイヤレスシステムなど、ワイヤレス通信システムでは、ネットワークは、それぞれ単一のアップリンク（ＵＬ）キャリアおよび単一のダウンリンク（ＤＬ）キャリア上のアップリンク（ＵＬ）リソースおよびダウンリンク（ＤＬ）リソースでワイヤレス送受信ユニット（ＷＴＲＵ）を構成することができる。これらのリソースを使用するために、ＷＴＲＵは、これらのキャリア上でネットワークと同期していることが期待され得る。
【０００４】
リソースは、単一のＵＬ／ＤＬキャリアを介してＷＴＲＵとネットワークの間の同期およびアライメントの状況を決定するのに消費される必要があり得る。複数のアップリンクキャリアをＷＴＲＵが使用可能なＷＴＲＵでは、ＷＴＲＵとネットワークの間の同期およびアライメントを決定するには、より多くのリソースが必要となることがある。
【発明の概要】
【０００５】
この概要は、詳細な説明において下記にさらに述べられる選択された概念を簡略化された形で述べるために提供されている。この概要は、特許請求された主題の主な特徴または本質的な特徴を識別することを意図しておらず、また特許請求された主題の範囲を限定するために使用することも意図していない。さらに、特許請求された主題は、本開示のいずれかの部分に述べられたいずれかまたはすべての欠点を解決する制限事項に限定されない。
【０００６】
複数のキャリアとのタイムアライメントを維持するためのやり方が、本明細書に開示される。単一のタイミングアドバンス（Ｔｉｍｉｎｇ  Ａｄｖａｎｃｅ）（ＴＡ）で動作するアップリンクキャリアのグループ（ＵＬ  ＣＣセット）が決定される。ＴＡ値が、特定のＵＬ  ＣＣセットに適用されることもある。ワイヤレス送受信ユニット（ＷＴＲＵ）が複数のＴＡを使用できることによって、各ＵＬ  ＣＣセットごとに数ビットのグループインデックスを定義することができる。ランダムアクセス応答メッセージで受信されたＴＡコマンドが、ＵＬ  ＣＣセットの各ＵＬキャリアにＴＡ値を適用するために使用されてよい。ＷＴＲＵは、どのＤＬキャリア上にコマンドが受信されたかに基づいて、ＴＡ値がどのＵＬ  ＣＣセットに適用されるか決定することができる。ＷＴＲＵは、コマンドで明示的に提供されているグループインデックスに基づいて、ＴＡ値がどのＵＬ  ＣＣセットに適用されるか決定することができる。ＷＴＲＵは、タイムアライメントタイマ（ＴＡＴ）が終了すると、マルチＣＣ構成を解放してよい。
【０００７】
実施形態は、ワイヤレス送受信ユニット（ＷＴＲＵ）が、少なくとも部分的には、ＷＴＲＵがそれで動作可能であり得る１つまたは複数のアップリンクキャリア、またはワイヤレスネットワーク上で動作している１つまたは複数のアップリンクキャリアを識別するように構成され得ることを企図している。ＷＴＲＵは、１つまたは複数のアップリンクコンポーネントキャリアセット（ＵＬ  ＣＣセット）を決定するように構成することもできる。ＵＬ  ＣＣセットはそれぞれ、アップリンクキャリアのうちの１つまたは複数を備えてよく、各々のＵＬ  ＣＣセットを備えてよい１つまたは複数のアップリンクキャリアはそれぞれ、同じタイミングアドバンス（ＴＡ）で動作可能であってよい。ＷＴＲＵは、１つまたは複数のアップリンクキャリアのどれが１つまたは複数のＵＬ  ＣＣセットに対応し得るかの所定の識別情報に基づいて、ＵＬ  ＣＣセットの１つまたは複数のグループを決定するように構成されてよい。たとえば、所定の識別情報は、個別のシグナリングを使用して受信してもよいし、それぞれのＵＬ  ＣＣセットの１つまたは複数の特性に基づいて推論してもよい。ＷＴＲＵは、少なくとも１つのＵＬ  ＣＣセットを選択し、選択された少なくとも１つのＵＬ  ＣＣ  セットについて、ランダムアクセスチャネル（ＲＡＣＨ）通信が可能であってよい１つまたは複数のアップリンクキャリアのうちの少なくとも１つを識別するように構成することもできる。ＷＴＲＵは、選択された少なくとも１つのＵＬ  ＣＣ  セットについて、識別された１つまたは複数のアップリンクキャリアのうちの少なくとも１つのキャリア上でＲＡＣＨ通信を開始し、ＲＡＣＨ通信に応答してＴＡ値を受信するように構成されてよい。ＷＴＲＵは、選択された少なくとも１つのＵＬ  ＣＣセットを備える１つまたは複数のアップリンクキャリアのそれぞれにＴＡ値を適用するようにさらに構成されてよい。
【０００８】
実施形態は、選択された少なくとも１つのＵＬ  ＣＣセットが関連するタイムアライメントタイマ（ＴＡＴ）を有してもよいし、ＷＴＲＵがＴＡＴを開始し、またはＴＡＴを再開するようにさらに構成されてよいことを企図している。ＷＴＲＵは、ダウンリンクキャリアを介して、ＴＡ値を含んでよい信号を受信するように構成することもできる。ＷＴＲＵは、ダウンリンクキャリアと対になり得る１つまたは複数のアップリンクキャリアのうちの少なくとも１つを識別し、ダウンリンクキャリアと対になり得る１つまたは複数のアップリンクキャリアのうちの少なくとも１つに対応し得る１つまたは複数のＵＬ  ＣＣセットのうちの少なくとも１つを識別してよい。ＷＴＲＵは、１つまたは複数のＵＬ  ＣＣセットのうちの識別された少なくとも１つのＵＬ  ＣＣセットを備える１つまたは複数のアップリンクキャリアのそれぞれにＴＡ値を適用することができる。
【０００９】
実施形態は、１つまたは複数のＵＬ  ＣＣセットが、その各々のサービングセルの周波数帯に対応することができ、ＷＴＲＵは、ダウンリンクキャリアを介して、ＴＡ値を含んでよい信号を受信するように構成されてよいことを企図している。ＷＴＲＵは、ダウンリンクキャリアに対応する周波数帯を識別し、その各々の周波数帯がダウンリンクキャリアの周波数帯に対応し得る１つまたは複数のＵＬ  ＣＣセットのうちの少なくとも１つを識別するように構成されてよい。ＷＴＲＵは、１つまたは複数のＵＬ  ＣＣセットのうちの識別された少なくとも１つのＵＬ  ＣＣセットを備え得る１つまたは複数のアップリンクキャリアのそれぞれにＴＡ値を適用することができる。
【００１０】
実施形態は、選択された少なくとも１つのＵＬ  ＣＣセットが、個別の物理制御チャネル（ＰＵＣＣＨ）構成を有する少なくとも１つのアップリンクキャリアを含んでよいことを企図している。ＷＴＲＵは、ＴＡＴが終了すると、ＰＵＣＣＨに対応するリソース上で送信することをやめるように構成されてよい。あるいは、またはさらに、ＷＴＲＵは、ＴＡＴが終了すると、ＰＵＣＣＨ構成の少なくとも一部を削除するように構成されてよい。同様に、あるいはまたはさらに、ＷＴＲＵは、ＴＡＴが終了すると、選択された少なくとも１つのＵＬ  ＣＣセットの構成から１つまたは複数のＲＡＣＨリソースを削除するように構成されてよい。
【００１１】
実施形態は、進化型Ｎｏｄｅ  Ｂ（ｅｖｏｌｖｅｄ  Ｎｏｄｅ  Ｂ）（ｅＮｏｄｅ  Ｂ）などのワイヤレスネットワークリソースは、少なくとも一部を、ｅＮｏｄｅ  Ｂがそれで動作可能な１つまたは複数のアップリンクキャリアを識別するように構成され得ることを企図している。ｅＮｏｄｅ  Ｂは、１つまたは複数のインデックスを決定することができる。１つまたは複数の各インデックスはそれぞれ、１つまたは複数のアップリンクコンポーネントキャリアセット（ＵＬ  ＣＣセット）に対応してよい。また、ＵＬ  ＣＣセットはそれぞれ、アップリンクキャリアのうちの１つまたは複数を備えてよく、各々のＵＬ  ＣＣセットを備える１つまたは複数のアップリンクキャリアはそれぞれ、同じタイミングアドバンス（ＴＡ）で動作可能であってよい。ｅＮｏｄｅ  Ｂは、１つまたは複数のインデックスを送信するように構成されてよい。
【００１２】
実施形態は、ｅＮｏｄｅ  Ｂが、１つまたは複数のＵＬ  ＣＣセットのうちの少なくとも１つのＵＬ  ＣＣセットを備える１つまたは複数のアップリンクキャリアのうちの少なくとも１つのキャリア上でＲＡＣＨ通信を受信するように構成され得ることを企図している。ｅＮｏｄｅ  Ｂは、ＲＡＣＨ通信に応答してＴＡ値を送信することができる。ＴＡ値は、１つまたは複数のＵＬ  ＣＣセットのうちの少なくとも１つを備える１つまたは複数のアップリンクキャリアのそれぞれに適用可能であってよい。ｅＮｏｄｅ  Ｂは、信号を送信するように構成されてよく、ただし信号は、ＴＡ値とインジケータとを含んでよい。インジケータは、ＴＡ値が適用可能であってよい１つまたは複数のＵＬ  ＣＣセットのうちの少なくとも１つを示すことができる。ＵＬ  ＣＣセットの１つまたは複数のアップリンクキャリアのうちの少なくとも１つのアップリンクキャリア上でＲＡＣＨ通信を受信するように構成されてよく、ＲＡＣＨ通信に応答して、ＴＡ値を送信することができる。ＴＡ値は、ＵＬ  ＣＣセットを備える１つまたは複数のアップリンクキャリアのそれぞれに適用可能であってよい。あるいは、またはさらに、ｅＮｏｄｅ  Ｂは、信号を送信するように構成されてよく、ただし信号は、ＴＡ値とインジケータを含んでよい。インジケータは、ＴＡ値が適用可能であってよいＵＬ  ＣＣセットを示すことができる。
【図面の簡単な説明】
【００１３】
より詳細な理解は、添付の図面と併せて、例示するために示されている下記の説明から得ることができる。
【００１４】
【図１Ａ】１つまたは複数の開示された実施形態が実施されてよい例示的な通信システムのシステム図である。
【図１Ｂ】図１Ａに示された通信システム内で使用してよい例示的なワイヤレス送受信ユニット（ＷＴＲＵ）のシステム図である。
【図１Ｃ】図１Ａに示された通信システム内で使用してよい例示的な無線アクセスネットワークおよびコアネットワークのシステム図である。
【図２】実施形態による例示的な方法のフローチャートである。
【図３】実施形態による例示的な方法のフローチャートである。
【図４】実施形態による例示的な方法のフローチャートである。
【図５】実施形態による例示的な方法のフローチャートである。
【図６】実施形態による例示的な方法のフローチャートである。
【発明を実施するための形態】
【００１５】
図１Ａは、１つまたは複数の開示された実施形態が実施され得る例示的な通信システム１００の図である。通信システム１００は、音声、データ、ビデオ、メッセージング、ブロードキャストなど、コンテンツを複数のワイヤレスユーザに提供する多元接続システムであってよい。通信システム１００は、複数のワイヤレスユーザが、ワイヤレス帯域幅を含めてシステムリソースを共有することよってこうしたコンテンツにアクセスすることを可能にすることができる。たとえば、通信システム１００は、ＣＤＭＡ（ｃｏｄｅ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ＦＤＭＡ）、ＳＣ−ＦＤＭＡ（ｓｉｎｇｌｅ−ｃａｒｒｉｅｒ  ＦＤＭＡ）など、１つまたは複数のチャネルアクセス法を使用してよい。
【００１６】
図１Ａに示されたように、通信システム１００は、ワイヤレス送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含んでよいが、開示された実施形態は、任意の数のＷＴＲＵ、基地局、ネットワークおよび／またはネットワーク要素を企図することが理解されよう。ＷＴＲＵ  １０２ａ、１０２ｂ、１０２ｃ、１０２ｄはそれぞれ、ワイヤレス環境内で動作および／または通信するように構成された任意のタイプのデバイスであってよい。例を挙げると、ＷＴＲＵ  １０２ａ、１０２ｂ、１０２ｃ、１０２ｄは、ワイヤレス信号を送信および／または受信するように構成されてよく、ユーザ機器（ＵＥ）、移動局、固定または移動加入者ユニット、ページャ、携帯電話、携帯情報端末（ＰＤＡ）、スマートフォン、ラップトップ、ネットブック、パーソナルコンピュータ、ワイヤレスセンサ、家電などを含んでよい。
【００１７】
通信システム１００は、基地局１１４ａおよび基地局１１４ｂを含むこともできる。基地局１１４ａ、１１４ｂはそれぞれ、コアネットワーク１０６、インターネット１１０および／またはネットワーク１１２など、１つまたは複数の通信ネットワークへのアクセスを容易にするために、ＷＴＲＵ  １０２ａ、１０２ｂ、１０２ｃ、１０２ｄのうちの少なくとも１つのＷＴＲＵと無線でインターフェースするように構成された任意のタイプのデバイスであってよい。例を挙げると、基地局１１４ａ、１１４ｂは、送受信基地局（ＢＴＳ）、Ｎｏｄｅ  Ｂ、ｅＮｏｄｅ  Ｂ、ホームＮｏｄｅ  Ｂ、ホームｅＮｏｄｅ  Ｂ、サイトコントローラ、アクセスポイント（ＡＰ）、ワイヤレスルータなどであってよい。基地局１１４ａ、１１４ｂはそれぞれ、単一の要素として示されているが、基地局１１４ａ、１１４ｂは、相互に接続された任意の数の基地局および／またはネットワーク要素を含んでよいことが理解されよう。
【００１８】
基地局１１４ａは、ＲＡＮ  １０４の一部であってよく、このＲＡＮ  １０４は、基地局コントローラ（ＢＳＣ）、無線ネットワークコントローラ（ＲＮＣ）、中継ノードなど、他の基地局および／またはネットワーク要素（図示せず）を含むこともできる。基地局１１４ａおよび／または基地局１１４ｂは、セル（図示せず）と呼ばれることがある特定の地理的領域内でワイヤレス信号を送信および／または受信するように構成されてよい。セルは、セルセクタにさらに分割されてよい。たとえば、基地局１１４ａに関連するセルは、３つのセクタに分割されてよい。したがって、一実施形態では、基地局１１４ａは、３つのトランシーバ、たとえばセルの各セクタにつき１つを含んでよい。別の実施形態では、基地局１１４ａは、ＭＩＭＯ（ｍｕｌｔｉｐｌｅ−ｉｎｐｕｔ  ｍｕｌｔｉｐｌｅ  ｏｕｔｐｕｔ）技術を使用することができ、したがって、セルの各セクタにつき複数のトランシーバを使用してもよい。
【００１９】
基地局１１４ａ、１１４ｂは、任意の適切なワイヤレス通信リンク（たとえば無線周波数（ＲＦ）、マイクロ波、赤外線（ＩＲ）、紫外線（ＵＶ）、可視光線など）であってよいエアインターフェース１１６を介してＷＴＲＵ  １０２ａ、１０２ｂ、１０２ｃ、１０２ｄ  のうちの１つまたは複数と通信することができる。エアインターフェース１１６は、任意の適切な無線アクセス技術（ＲＡＴ）を使用して確立することができる。
【００２０】
より具体的には、上述されたように、通信システム１００は、多元接続システムであってよく、ＣＤＭＡ、ＴＤＭＡ、ＦＤＭＡ、ＯＦＤＭＡ、ＳＣ−ＦＤＭＡなど、１つまたは複数のチャネルアクセス方式を使用してよい。たとえば、ＲＡＮ  １０４内の基地局１１４ａ、およびＷＴＲＵ  １０２ａ、１０２ｂ、１０２ｃは、広帯域ＣＤＭＡ（ＷＣＤＭＡ）を使用してエアインターフェース１１６を確立できるＵＴＲＡ（ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）Ｔｅｒｒｅｓｔｒｉａｌ  Ｒａｄｉｏ  Ａｃｃｅｓｓ）など、無線技術を実装することができる。ＷＣＤＭＡは、ＨＳＰＡ（Ｈｉｇｈ−Ｓｐｅｅｄ  Ｐａｃｋｅｔ  Ａｃｃｅｓｓ）および／または進化型ＨＳＰＡ（ＨＳＰＡ＋）などの通信プロトコルを含んでよい。ＨＳＰＡは、ＨＳＤＰＡ（Ｈｉｇｈ−Ｓｐｅｅｄ  Ｄｏｗｎｌｉｎｋ  Ｐａｃｋｅｔ  Ａｃｃｅｓｓ）および／またはＨＳＵＰＡ（Ｈｉｇｈ−Ｓｐｅｅｄ  Ｕｐｌｉｎｋ  Ｐａｃｋｅｔ  Ａｃｃｅｓｓ）を含んでよい。
【００２１】
別の実施形態では、基地局１１４ａ、およびＷＴＲＵ  １０２ａ、１０２ｂ、１０２ｃは、ＬＴＥ（Ｌｏｎｇ  Ｔｅｒｍ  Ｅｖｏｌｕｔｉｏｎ）および／またはＬＴＥ−Ａ（ＬＴＥ−Ａｄｖａｎｃｅｄ）を使用してエアインターフェース１１６を確立できるＥ−ＵＴＲＡ（Ｅｖｏｌｖｅｄ  ＵＭＴＳ  Ｔｅｒｒｅｓｔｒｉａｌ  Ｒａｄｉｏ  Ａｃｃｅｓｓ）などの無線技術を実装してよい。
【００２２】
他の実施形態では、基地局１１４ａおよびＷＴＲＵ  １０２ａ、１０２ｂ、１０２ｃは、ＩＥＥＥ  ８０２．１６（たとえばＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＣＤＭＡ２０００、ＣＤＭＡ２０００  １Ｘ、ＣＤＭＡ２０００  ＥＶ−ＤＯ、ＩＳ−２０００（Ｉｎｔｅｒｉｍ  Ｓｔａｎｄａｒｄ  ２０００）、ＩＳ−９５（Ｉｎｔｅｒｉｍ  Ｓｔａｎｄａｒｄ  ９５）、ＩＳ−８５６（Ｉｎｔｅｒｉｍ  Ｓｔａｎｄａｒｄ  ８５６）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）、ＧＥＲＡＮ（ＧＳＭ  ＥＤＧＥ）など、無線技術を実装することができる。
【００２３】
図１Ａの基地局１１４ｂは、たとえばワイヤレスルータ、ホームＮｏｄｅ  Ｂ、ホームｅＮｏｄｅ  Ｂまたはアクセスポイントであってよく、事業所、自宅、車両、キャンパスなど、局所的な領域のワイヤレス接続を容易にするのに適した任意の適切なＲＡＴを使用することができる。一実施形態では、基地局１１４ｂおよびＷＴＲＵ  １０２ｃ、１０２ｄは、ＷＬＡＮ（ｗｉｒｅｌｅｓｓ  ｌｏｃａｌ  ａｒｅａ  ｎｅｔｗｏｒｋ）を確立するために、ＩＥＥＥ  ８０２．１１などの無線技術を実装することができる。別の実施形態では、基地局１１４ｂおよびＷＴＲＵ  １０２ｃ、１０２ｄは、ＷＰＡＮ（ｗｉｒｅｌｅｓｓ  ｐｅｒｓｏｎａｌ  ａｒｅａ  ｎｅｔｗｏｒｋ）を確立するために、ＩＥＥＥ  ８０２．１５などの無線技術を実装してよい。別の実施形態では、基地局１１４ｂおよびＷＴＲＵ  １０２ｃ、１０２ｄは、ピコセルまたはフェムトセルを確立するために、セルラベースＲＡＴ（たとえばＷＣＤＭＡ、ＣＤＭＡ２０００、ＧＳＭ、ＬＴＥ、ＬＴＥ−Ａなど）を使用してよい。図１Ａに示されたように、基地局１１４ｂは、インターネット１１０への直接接続を有してよい。したがって、基地局１１４ｂは、コアネットワーク１０６を介してインターネット１１０にアクセスする必要はないことがある。
【００２４】
ＲＡＮ  １０４は、コアネットワーク１０６と通信していることがあり、このコアネットワーク１０６は、ＷＴＲＵ  １０２ａ、１０２ｂ、１０２ｃ、１０２ｄのうちの１つまたは複数に、音声、データ、アプリケーションおよび／またはボイスオーバーＩＰ（ＶｏＩＰ）サービス１０６を提供するように構成されてよい。たとえば、コアネットワーク１０６は、呼制御、請求サービス、モバイル位置ベースのサービス、プリペイド式の発呼、インターネット接続性、ビデオ配信などを提供し、かつ／またはユーザ認証などの高レベルのセキュリティ機能を実施することができる。図１Ａに示されていないが、ＲＡＮ  １０４および／またはコアネットワーク１０６は、ＲＡＮ  １０４と同じＲＡＴ、または異なるＲＡＴを使用する他のＲＡＮと直接的に通信していることも、間接的に通信していることもある。たとえば、Ｅ−ＵＴＲＡ無線技術を使用していてよいＲＡＮ  １０４に接続されることに加えて、コアネットワーク１０６は、ＧＳＭ無線技術を使用する別のＲＡＮ（図示せず）と通信していることもある。
【００２５】
コアネットワーク１０６は、ＷＴＲＵ  １０２ａ、１０２ｂ、１０２ｃ、１０２ｄがＰＳＴＮ  １０８、インターネット１１０および／または他のネットワーク１１２にアクセスするためのゲートウェイとして働くこともできる。ＰＳＴＮ  １０８は、ＰＯＴＳ（ｐｌａｉｎ  ｏｌｄ  ｔｅｌｅｐｈｏｎｅ  ｓｅｒｖｉｃｅ）を提供する回路交換電話網を含んでよい。インターネット１１０は、ＴＣＰ／ＩＰインターネットプロトコルスイートのＴＣＰ（ｔｒａｎｓｍｉｓｓｉｏｎ  ｃｏｎｔｒｏｌ  ｐｒｏｔｏｃｏｌ）、ＵＤＰ（ｕｓｅｒ  ｄａｔａｇｒａｍ  ｐｒｏｔｏｃｏｌ）およびＩＰ（ｉｎｔｅｒｎｅｔ  ｐｒｏｔｏｃｏｌ）など、共通の通信プロトコルを使用する相互接続されたコンピュータネットワークおよびデバイスのグローバルシステムを含んでよい。ネットワーク１１２は、他のサービスプロバイダによって所有および／または操作された有線または無線の通信網を含んでよい。たとえば、ネットワーク１１２は、１つまたは複数のＲＡＮに接続された別のコアネットワークを含んでよく、この１つまたは複数のＲＡＮは、ＲＡＮ  １０４と同じＲＡＴを用いてもよいし、異なるＲＡＴを用いてもよい。
【００２６】
通信システム１００内のＷＴＲＵ  １０２ａ、１０２ｂ、１０２ｃ、１０２ｄの一部またはすべては、マルチモード能力を含んでよく、たとえばＷＴＲＵ  １０２ａ、１０２ｂ、１０２ｃ、１０２ｄは、それぞれ異なるワイヤレスリンクを介してそれぞれ異なるワイヤレスネットワークと通信するための複数のトランシーバを含んでよい。たとえば、図１Ａに示されたＷＴＲＵ  １０２ｃは、セルラベースの無線技術を使用できる基地局１１４ａと、またＩＥＥＥ  ８０２無線技術を使用できる基地局１１４ｂと通信するように構成されてよい。
【００２７】
図１Ｂは、例示的なＷＴＲＵ  １０２のシステム図である。図１Ｂに示されたように、ＷＴＲＵ  １０２は、プロセッサ１１８と、トランシーバ１２０と、送受信要素１２２と、スピーカ／マイクロホン１２４と、キーパッド１２６と、ディスプレイ／タッチパッド１２８と、取外し不可能なメモリ１３０と、取外し可能なメモリ１３２と、電源１３４と、ＧＰＳ（ｇｌｏｂａｌ  ｐｏｓｉｔｉｏｎｉｎｇ  ｓｙｓｔｅｍ）チップセット１３６と、他の周辺装置１３８とを含んでよい。ＷＴＲＵ  １０２は、一実施形態に依然として従いながら、上記要素の任意の下位組合せを含んでよいことが理解されよう。
【００２８】
プロセッサ１１８は、汎用プロセッサ、特別目的のプロセッサ、従来のプロセッサ、ＤＳＰ（ｄｉｇｉｔａｌ  ｓｉｇｎａｌ  ｐｒｏｃｅｓｓｏｒ）、複数のマイクロプロセッサ、ＤＳＰコアに関連する１つまたは複数のマイクロプロセッサ、コントローラと、マイクロコントローラ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）回路、他の任意のタイプのＩＣ（ｉｎｔｅｇｒａｔｅｄ  ｃｉｒｃｕｉｔ）、状態機械などであってよい。プロセッサ１１８は、信号符号化、データ処理、電源制御、入出力処理、および／またはＷＴＲＵ  １０２がワイヤレス環境内で動作することを可能にする他の機能性を実施することができる。プロセッサ１１８は、トランシーバ１２０に結合されてよく、このトランシーバ１２０は、送受信要素１２２に結合されてよい。図１Ｂは、プロセッサ１１８およびトランシーバ１２０を別個の構成要素として示しているが、プロセッサ１１８およびトランシーバ１２０は、電子パッケージまたはチップ内に統合されてよいことが理解されよう。
【００２９】
送受信要素１２２は、エアインターフェース１１６を介して基地局（たとえば基地局１１４ａ）に信号を送信し、またはそこから信号を受信するように構成されてよい。たとえば、一実施形態では、送受信要素１２２は、ＲＦ信号を送信および／または受信するように構成されたアンテナであってよい。別の実施形態では、送受信要素１２２は、たとえばＩＲ、ＵＶまたは可視光信号を送信および／または受信するように構成されたエミッタ／検出器であってよい。別の実施形態では、送受信要素１２２は、ＲＦ信号と光信号の両方を送受信するように構成されてよい。送受信要素１２２は、任意の組合せの無線信号を送信および／または受信するように構成されてよいことが理解されよう。
【００３０】
さらに、送受信要素１２２は、図１Ｂでは単一の要素として示されているが、ＷＴＲＵ  １０２は、任意の数の送受信要素１２２を含んでよい。より具体的には、ＷＴＲＵ  １０２は、ＭＩＭＯ技術を使用してよい。したがって、一実施形態では、ＷＴＲＵ  １０２は、エアインターフェース１１６を介してワイヤレス信号を送受信するために２つ以上の送受信要素１２２（たとえば複数のアンテナ）を含んでよい。
【００３１】
トランシーバ１２０は、送受信要素１２２によって送信される信号を変調し、また送受信要素１２２によって受信される信号を復調するように構成されてよい。上述されたように、ＷＴＲＵ  １０２は、マルチモード能力を有してよい。したがって、トランシーバ１２０は、たとえばＵＴＲＡとＩＥＥＥ  ８０２．１１など、複数のＲＡＴを介してＷＴＲＵ  １０２が通信することを可能にする複数のトランシーバを含んでよい。
【００３２】
ＷＴＲＵ  １０２のプロセッサ１１８は、スピーカ／マイクロホン１２４、キーパッド１２６  および／またはディスプレイ／タッチパッド１２８（たとえば液晶ディスプレイ（ＬＣＤ）表示装置や有機発光ダイオード（ＯＬＥＤ）表示装置）に結合されてよく、そこからユーザ入力データを受信することができる。プロセッサ１１８は、スピーカ／マイクロホン１２４、キーパッド１２６および／またはディスプレイ／タッチパッド１２８にユーザデータを出力することもできる。さらに、プロセッサ１１８は、非リムーバブルメモリ１０６および／またはリムーバブルメモリ１３２など、任意の適切なタイプのメモリからの情報にアクセスし、そこにデータを格納することができる。取外し不可能なメモリ１０６は、ランダムアクセスメモリ（ＲＡＭ）、読取り専用メモリ（ＲＯＭ）、ハードディスクまたは他の任意のタイプのメモリ記憶デバイスを含んでよい。取外し可能なメモリ１３２は、ＳＩＭ（ｓｕｂｓｃｒｉｂｅｒ  ｉｄｅｎｔｉｔｙ  ｍｏｄｕｌｅ）カード、メモリスティック、ＳＤ（ｓｅｃｕｒｅ  ｄｉｇｉｔａｌ）メモリカードなどを含んでよい。他の実施形態では、プロセッサ１１８は、サーバやホームコンピュータ（図示せず）など、ＷＴＲＵ  １０２に物理的に置かれないメモリからの情報にアクセスし、そこにデータを格納することができる。
【００３３】
プロセッサ１１８は、電源１３４から電力を受信することができ、ＷＴＲＵ  １０２内の他のコンポーネントに電力を分配し、電力を制御するように構成されてよい。電源１３４は、ＷＴＲＵ  １０２に電力を供給するのに適した任意のデバイスであってよい。たとえば、電源１３４は、１つまたは複数の乾電池（たとえばニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含んでよい。
【００３４】
プロセッサ１１８は、ＧＰＳチップセット１３６に結合することもでき、このＧＰＳチップセット１３６は、ＷＴＲＵ  １０２の現在の位置に関する位置情報（たとえば経緯度）を提供するように構成されてよい。ＧＰＳチップセット１３６からの情報に加えて、またはその代わりに、ＷＴＲＵ  １０２は、エアインターフェース１１６を介して基地局（たとえば基地局１１４ａ、１１４ｂ）から位置情報を受信し、かつ／または２つ以上の近くの基地局から受信されている信号のタイミングに基づいてＷＴＲＵ  １０２の位置を決定することができる。一実施形態に依然として従いながら、ＷＴＲＵ  １０２が任意の適切な位置決定方法によって位置情報を取得できることが理解されよう。
【００３５】
プロセッサ１１８は、他の周辺装置１３８にさらに結合されてよく、この他の周辺装置１３８は、追加の特徴、機能および／または有線もしくは無線の接続性を提供する１つまたは複数のソフトウェアおよび／またはハードウェアモジュールを含んでよい。たとえば、周辺装置１３８は、加速度計、ｅ−コンパス、衛星トランシーバ、デジタルカメラ（写真またはビデオ用）、ＵＳＢ（ｕｎｉｖｅｒｓａｌ  ｓｅｒｉａｌ  ｂｕｓ）ポート、振動デバイス、テレビトランシーバ、ハンズフリーヘッドセット、Ｂｌｕｅｔｏｏｔｈ（登録商標）モジュール、ＦＭ（ｆｒｅｑｕｅｎｃｙ  ｍｏｄｕｌａｔｅｄ）無線ユニット、デジタル音楽プレイヤー、メディアプレイヤー、ビデオゲームプレイヤーモジュール、インターネットブラウザなどを含んでよい。
【００３６】
図１Ｃは、一実施形態による、ＲＡＮ  １０４およびコアネットワーク１０６のシステム図である。上述されたように、ＲＡＮ  １０４は、エアインターフェース１１６を介してＷＴＲＵ  １０２ａ、１０２ｂおよび／または１０２ｃと通信するためにＥ−ＵＴＲＡ無線技術を使用してよい。ＲＡＮ  １０４は、コアネットワーク１０６と通信していることもある。
【００３７】
ＲＡＮ  １０４は、ｅＮｏｄｅ  Ｂ  １４０ａ、１４０ｂ、１４０ｃを含んでよいが、ＲＡＮ  １０４は、一実施形態に依然として従いながら、任意の数のｅＮｏｄｅ  Ｂを含んでよいことを理解されたい。ｅＮｏｄｅ  Ｂ  １４０ａ、１４０ｂ、１４０ｃはそれぞれ、エアインターフェース１１６を介してＷＴＲＵ  １０２ａ、１０２ｂ、１０２ｃと通信するための１つまたは複数のトランシーバを含んでよい。一実施形態では、ｅＮｏｄｅ  Ｂ  １４０ａ、１４０ｂ、１４０ｃは、ＭＩＭＯ技術を実装してよい。したがって、ｅＮｏｄｅ  Ｂ  １４０ａは、たとえば、複数のアンテナを使用して、ＷＴＲＵ  １０２ａにワイヤレス信号を送信し、ＷＴＲＵ  １０２ａからワイヤレス信号を受信することができる。
【００３８】
ｅＮｏｄｅ  Ｂ  １４０ａ、１４０ｂ、１４０ｃはそれぞれ、特定のセル（図示せず）に関連付けることができ、無線リソース管理決定、ハンドオーバ決定、アップリンクおよび／またはダウンリンクのユーザスケジューリングなどに対処するように構成されてよい。図１Ｃに示されたように、ｅＮｏｄｅ  Ｂ  １４０ａ、１４０ｂ、１４０ｃは、Ｘ２インターフェースを介して互いに通信してよい。図１Ｃに示されたコアネットワーク１０６は、モビリティ管理ゲートウェイ（ＭＭＥ）１４２、サービングゲートウェイ１４４およびパケットデータ網（ＰＤＮ）ゲートウェイ１４６を含んでよい。上記要素はそれぞれ、コアネットワーク１０６の一部として示されているが、これらの要素のいずれの要素もが、コアネットワーク事業者以外のエンティティによって所有および／または操作されてよいことが理解されよう。
【００３９】
ＭＭＥ  １４２は、Ｓ１インターフェースを介してＲＡＮ  １０４内のｅＮｏｄｅ  Ｂ  １４２ａ、１４２ｂ、１４２ｃのそれぞれに接続することができ、制御ノードとして働くことができる。たとえば、ＭＭＥ  １４２は、ＷＴＲＵ  １０２ａ、１０２ｂ、１０２ｃ、ＷＴＲＵ  １０２ａのユーザの認証、ベアラのアクティブ化／非アクティブ化、ＷＴＲＵ  １０２ａ、１０２ｂ、１０２ｃの初期接続の間に特定のサービングゲートウェイを選択することの責任を担うことができる。ＭＭＥ  １４２は、ＲＡＮ  １０４と、ＧＳＭやＷＣＤＭＡなど、他の無線技術を使用する他のＲＡＮ（図示せず）との間で切り換える制御プレーン機能を提供することもできる。
【００４０】
サービングゲートウェイ１４４は、Ｓ１インターフェースを介して、ＲＡＮ  １０４内のｅＮｏｄｅ  Ｂ  １４０ａ、１４０ｂ、１４０ｃのそれぞれに接続されてよい。サービングゲートウェイ１４４は一般に、ＷＴＲＵ  １０２ａ、１０２ｂ、１０２ｃに／から、ユーザデータパケットをルーティングし転送してよい。サービングゲートウェイ１４４は、ｅＮｏｄｅ  Ｂ間ハンドオーバの間のユーザプレーンのアンカリング、ＷＴＲＵ  １０２ａ、１０２ｂ、１０２ｃにダウンリンクデータが使用可能な場合のページングのトリガ、ＷＴＲＵ  １０２ａ、１０２ｂ、１０２ｃのコンテキストの管理および格納など、他の機能を実施することもできる。
【００４１】
サービングゲートウェイ１４４は、ＰＤＮゲートウェイ１４６にも接続されてよく、このＰＤＮゲートウェイ１４６は、ＷＴＲＵ  １０２ａ、１０２ｂ、１０２ｃとＩＰ対応デバイスとの間の通信を円滑に進めるために、ＷＴＲＵ  １０２ａ、１０２ｂ、１０２ｃがインターネット１１０などのパケット交換網にアクセスできるようにしてよい。
【００４２】
コアネットワーク１０６は、他のネットワークとの通信を円滑に進めることができる。たとえば、コアネットワーク１０６は、ＷＴＲＵ  １０２ａ、１０２ｂ、１０２ｃと従来の地上通信デバイスとの間の通信を円滑に進めるために、ＷＴＲＵ  １０２ａ、１０２ｂ、１０２ｃがＰＳＴＮ  １０８などの回路交換網にアクセスできるようにしてよい。たとえば、コアネットワーク１０６は、コアネットワーク１０６とＰＳＴＮ  １０８の間のインターフェースとして働くＩＰゲートウェイ（たとえばＩＰマルチメディアサブシステム（ＩＭＳ）サーバ）含んでもよし、それと通信してもよい。さらに、コアネットワーク１０６は、ＷＴＲＵ  １０２ａ、１０２ｂ、１０２ｃがネットワーク１１２にアクセスできるようにすることができ、このネットワーク１１２は、他のサービスプロバイダによって所有および／または操作される他の有線網または無線網を含んでよい。
【００４３】
下記に言及されるとき、用語１次コンポーネントキャリア（ＰＣＣ）は、一般性を失わずに、複数のコンポーネントキャリアで動作するように構成されたＷＴＲＵの１つのキャリアを含み、たとえばセキュリティパラメータおよびＮＡＳ情報の導出など一部の機能は、そのコンポーネントキャリアだけに適用可能であってよい。ＷＴＲＵは、少なくともダウンリンク用の１つのＰＣＣ（ＤＬ  ＰＣＣ）、およびアップリンク用の１つのＰＣＣ（ＵＬ  ＰＣＣ）で構成されてよい。したがって、ＷＴＲＵのＰＣＣでないキャリアは、下記では２次キャリア（ＳＣＣ）と呼ばれることがある。
【００４４】
ＤＬ  ＰＣＣは、たとえば、システムに最初にアクセスするとき、初期セキュリティパラメータを導出するためにＷＴＲＵによって使用されるＣＣに対応する。ＵＬ  ＰＣＣは、たとえば、そのＰＵＣＣＨリソースが所与のＷＴＲＵのためのすべてのハイブリッド自動反復要求（ＨＡＲＱ）肯定応答／否定応答（Ａ／Ｎ）およびチャネル状態情報（ＣＳＩ）フィードバックを運ぶように構成されるＣＣに対応することがある。
【００４５】
本明細書に言及されるとき、用語「コンポーネントキャリア（ＣＣ）」は、一般性を失わずに、ＷＴＲＵが動作する周波数を含む。たとえば、ＷＴＲＵは、ダウンリンクＣＣ（以下「ＤＬ  ＣＣ」）上で送信を受信することができ、ＤＬ  ＣＣは、それだけに限らないが、物理制御フォーマットインジケータチャネル（ＰＣＦＩＣＨ）、物理ＨＡＲＱインジケータチャネル（ＰＨＩＣＨ）、物理ダウンリンク制御チャネル（ＰＤＣＣＨ）、物理マルチキャストデータチャネル（ＰＭＣＨ）および物理ダウンリンク共有チャネル（ＰＤＳＣＨ）を含めて、いくつかのＤＬ物理チャネルからなってよい。ＰＣＦＩＣＨ上で、ＷＴＲＵは、ＤＬ  ＣＣの制御領域のサイズを示す制御データを受信する。ＰＨＩＣＨ上で、ＷＴＲＵは、前のアップリンク送信に対するＨＡＲＱ  ＡＣＫ／ＮＡＣＫフィードバックを示す制御データを受信する。ＰＤＣＣＨ上で、ＷＴＲＵは、主としてダウンリンクリソースおよびアップリンクリソースをスケジューリングするために使用されるダウンリンク制御情報（ＤＣＩ）メッセージを受信する。ＰＤＳＣＨ上で、ＷＴＲＵは、ユーザデータおよび／または制御データを受信する。たとえば、ＷＴＲＵは、アップリンクＣＣ（以下「ＵＬ  ＣＣ」）上で送信することができ、ＵＬ  ＣＣは、それだけに限らないが、物理アップリンク制御チャネル（ＰＵＣＣＨ）および物理アップリンク共有チャネル（ＰＵＳＣＨ）を含めて、いくつかのＵＬ物理チャネルからなってよい。ＰＵＳＣＨ上で、ＷＴＲＵは、ユーザデータおよび／または制御データを送信する。ＰＵＣＣＨ上で、また一部の場合ではＰＵＳＣＨ上で、ＷＴＲＵは、アップリンク制御情報（ＣＱＩ／ＰＭＩ／ＲＩまたはＳＲなど）および／またはハイブリッド自動反復要求（ＨＡＲＱ）肯定応答／否定応答（ＡＣＫ／ＮＡＣＫ）フィードバックを送信する。ＵＬ  ＣＣ上で、ＷＴＲＵに、サウンディングリファレンス信号（Ｓｏｕｎｄｉｎｇ  ａｎｄ  Ｒｅｆｅｒｅｎｃｅ  Ｓｉｇｎａｌ）（ＳＲＳ）送信のための専用のリソースを割り当てることもできる。
【００４６】
典型的にはセルは最小限、ＵＬ  ＣＣ内に存在し、このＤＬ  ＣＣは、一部の実施形態では、ＤＬ  ＣＣ上でブロードキャストされ、またはネットワークからの個別の構成シグナリングを恐らく使用した、ＷＴＲＵによって受信されたシステム情報（ＳＩ）に基づいてＵＬ  ＣＣにリンクされる。たとえば、ＤＬ  ＣＣ上でブロードキャストされる場合、ＷＴＲＵは、リンクされたＵＬ  ＣＣのアップリンク周波数および帯域幅を、システム情報ブロックタイプ２（ＳＩＢ２）情報要素の一部として受信する。
【００４７】
本明細書に言及されるとき、用語１次セル（ＰＣｅｌｌ）は一般性を失わずに、ＷＴＲＵが初期接続確立手順を実施しまたは接続再確立手順を開始する１次周波数の動作するセル、またはハンドオーバ手順において１次セルとして示されたセルを含む。ＷＴＲＵは、ＰＣｅｌｌを使用して、セキュリティ機能についてのパラメータ、およびＮＡＳモビリティ情報など上位層システム情報についてのパラメータを導出するためにＰＣｅｌｌを使用する。ＰＣｅｌｌ  ＤＬ上だけでサポートされ得る他の機能は、ブロードキャストチャネル（ＢＣＣＨ）上のシステム情報（ＳＩ）取得および変更監視手順、およびページングを含む。ＰＣｅｌｌのＵＬ  ＣＣは、所与のＷＴＲＵのためのすべてのＨＡＲＱ  ＡＣＫ／ＮＡＣＫフィードバックを運ぶよう構成された物理アップリンク制御チャネル（ＰＵＣＣＨ）リソースが構成されるＣＣに対応してよい。
【００４８】
本明細書に言及されるとき、用語「２次セル（ＳＣｅｌｌ）」は一般性を失わずに、２次周波数で動作するセルを含み、このセルは、ＲＲＣ接続が確立されると構成することができ、また追加の無線リソースを提供するために使用することができる。関与するＳＣｅｌｌ内の動作に関連するシステム情報は典型的には、ＷＴＲＵの構成にＳＣｅｌｌが追加されるときの個別のシグナリングを使用して提供される。パラメータは、システム情報（ＳＩ）シグナリングを使用して、関与するＳＣｅｌｌのダウンリンク上でブロードキャストされた値とは異なる値を有し得るが、この情報は本明細書では、この情報を得るためにＷＴＲＵによって使用される方法とは独立に、関与するＳＣｅｌｌのＳＩと呼ばれる。
【００４９】
本明細書に言及されるとき、用語「ＰＣｅｌｌ  ＤＬ」および「ＰＣｅｌｌ  ＵＬ」は、一般性を失わずに、それぞれＰＣｅｌｌのＤＬ  ＣＣおよびＵＬ  ＣＣに対応する。同様に、用語「ＳＣｅｌｌ  ＤＬ」および「ＳＣｅｌｌ  ＵＬ」は、それぞれＳＣｅｌｌのＤＬ  ＣＣおよびＵＬ  ＣＣ（構成される場合）に対応する。ＰＣｅｌｌでは、ＣＣは、ＰＣＣと呼ばれることもあり、ＳＣｅｌｌでは、ＣＣは、ＳＣＣと呼ばれることがある。
【００５０】
本明細書に言及されるとき、用語「サービングセル」は、一般性を失わずに、１次セル（たとえばＰＣｅｌｌ）または２次セル（たとえばＳＣｅｌｌ）を含む。より具体的には、ＳＣｅｌｌで構成されておらず、または複数のコンポーネントキャリア上の動作（たとえばキャリアアグリゲーション）をサポートしないＷＴＲＵでは、ＰＣｅｌｌからなる１つのサービングセルがあり、また一部の実施形態では多分、ＰＣｅｌｌからなる１つのサービングセルだけがあり、少なくとも１つのＳＣｅｌｌで構成されるＷＴＲＵでは、用語「サービングセル」は、ＰＣｅｌｌおよびすべての構成されたＳＣｅｌｌからなる１つまたは複数のセルのセットを含む。
【００５１】
ＷＴＲＵが少なくとも１つのＳＣｅｌｌで構成される場合、少なくとも１つのＰＣｅｌｌ  ＤＬ（たとえば１つのＤＬ−ＳＣＨを含む）、および少なくとも１つのＰＣｅｌｌ  ＵＬ（たとえば１つのＵＬ−ＳＣＨを含む）があり、また構成された各ＳＣｅｌｌにつき、少なくとも１つのＳＣｅｌｌ  ＤＬがあり、一部の実施形態では、少なくとも１つのＳＣｅｌｌ  ＵＬ（構成される場合）がある。一部の実施形態では、１つのＰＣｅｌｌ  ＤＬ（たとえば１つのＤＬ−ＳＣＨを含む）、および１つのＰＣｅｌｌ  ＵＬ（たとえば１つのＵＬ−ＳＣＨを含む）があり、また構成された各ＳＣｅｌｌにつき、１つのＳＣｅｌｌ  ＤＬがあり、一部の実施形態では、１つのＳＣｅｌｌ  ＵＬ（構成される場合）がある。
【００５２】
キャリアアグリゲーション（ＣＡ）を有するＲ１０では、たとえば、ＷＴＲＵは、その構成に少なくとも１つのＳＣｅｌｌ  ＤＬを有し、ＷＴＲＵは、ＰＵＣＣＨ上のＡ／Ｎへの１つまたは複数の明示的なリソース割当て構成することもできる。一部の実施形態では、限定のためでなく、例を挙げると、たとえば個別のシグナリングを使用して、ＵＬ  ＰＣＣ用にＰＵＣＣＨ  Ａ／Ｎリソースが明示的に割り当てられ得ること、ＵＬ／ＤＬ  ＰＣＣリンクが、ＤＬ  ＰＣＣ上のＳＩに基づき得ること、ＳＣｅｌｌが明示的に（非）アクティブ化され得ること、およびＷＴＲＵがＳＣＣ内でＲＡ（たとえばＲＡ−ＳＲ）を実施してよいことを含む作業仮説が行われる。
【００５３】
ＵＬ同期は、ランダムアクセスチャネル（ＲＡＣＨ）手順を使用して最初に達成することができ、ＷＴＲＵは、ネットワークとのＵＬタイムアライメントが行われると見なされる。ＷＴＲＵは、構成可能なタイマ、たとえばネットワークとのタイミングアライメントを維持するために使用できるタイムアライメントタイマ（ＴＡＴ）を有する。リリース８／リリース９（Ｒ８／Ｒ９）ＷＴＲＵは、ＷＴＲＵが有効なタイミングアドバンスを有さない場合、たとえばＴＡタイマが終了すると、チャネル品質情報／プリコーディングマトリックスインジケータ／ランクインジケータ（ＣＱＩ／ＰＭＩ／ＲＩ）用の構成された物理アップリンク制御チャネル（ＰＵＣＣＨ）リソース、またサウンディングリファレンス信号（ＳＲＳ）をも解放する。動的に割り当てられるＨＡＲＱ  ＡＣＫ／ＮＡＣＫ（Ａ／Ｎ）の送信用のＰＵＣＣＨリソースでは、ＴＡＴが実行されていないとき、ＷＴＲＵは、ＰＵＣＣＨ上でＡ／Ｎを送信することは許されない。ＰＵＣＣＨ上のＨＡＲＱフィードバックでは、ＰＵＣＣＨ上の送信のリソースは、物理ダウンリンク制御チャネル（ＰＤＣＣＨ）上で受信されたダウンリンク（ＤＬ）割当てのためのＤＣＩの第１の制御チャネル要素（ＣＣＥ）に基づいて動的に決定される。
【００５４】
ＷＴＲＵは、接続モードにおいて複数のキャリアで動作するように構成されてよい。ＷＴＲＵ構成は、構成されたアップリンクリソースを有する２つ以上のサービングセルを含んでよく、その対応するアップリンクキャリアは、それぞれ異なるタイミングアドバンスを必要とするアップリンクキャリアをＷＴＲＵがサポートする場合には、類似のタイミングアライメント要件に基づいて恐らくグループ化されてよい。こうしたシナリオでは、ＷＴＲＵは、これらのキャリア（のグループ）のそれぞれに有効なタイミングアライメントを確立する必要があり得る。１つの問題は、ＷＴＲＵおよびネットワークが、どのアップリンクキャリアが同じタイミングアドバンス（ＴＡ）を共有すべきかについてどのように合意するかであり得る。限定のためではなく、例を挙げると、ＴＡは、割り当てられたタイムスロット内でＷＴＲＵが送信することを許され得る時間の調整を制御する変数であってよい。別の問題は、これらのアップリンクキャリア、またはそのグループに関連するＴＡ値をネットワークがどのようにＷＴＲＵに通信するかであり得る。しかし、別の問題は、各アップリンクキャリアまたはそのグループのタイミングアドバンスタイマの終了のせいで同期の損失が発生するとき、ＷＴＲＵがどんな措置を講じる必要があるか決定することであり得る。別の問題は、マルチキャリア操作用に構成されたＷＴＲＵがどのように下記に対処するかであり得る。（１）リソースが構成されるＵＬ  ＣＣ、たとえば  ＰＣｅｌｌ  ＵＬについてＴＡＴが終了する場合のＰＵＣＣＨ  Ａ／Ｎリソース、たとえば、ＰＣｅｌｌ  ＵＬ、および（２）リンクされたＳＣｅｌｌ  ＵＬについてＴＡＴが終了する場合のＳＣｅｌｌ  ＤＬ。
【００５５】
実施形態は、ＷＴＲＵが、ＲＡＲメッセージ受信の後、ＷＴＲＵ競合解決メディアアクセス制御（ＭＡＣ）制御要素（ＣＥ）を含めて、第１のスケジューリングされたＰＤＳＣＨ送信、たとえば、Ｃ−ＲＮＴＩでスクランブルされたＰＤＣＣＨの使用により、またはＤＬ−ＳＣＨ上での別のやり方によりスケジューリングされるＰＤＳＣＨ割当てに対するＡ／Ｎを送信できることを企図している。ＲＡＲメッセージは、ＴＡコマンドを含んでよく、ＲＡ手順の間、ＴＡＴを再開することができる。ＴＡＴ終了がたとえばＲ１０  ＰＵＣＣＨ  Ａ／Ｎリソースを無効にする場合、ＳＣｅｌｌ  ＤＬで受信されたＰＤＳＣＨへのＡ／Ｎ送信に規則が必要となることがあり、そうでない場合は、互換性を保証するためにＲ８原理に従って物理アップリンク制御チャネルＰＵＣＣＨ動的リソース上でＡ／Ｎを送信できるように、Ｒ１０  ＰＵＣＣＨ  Ａ／Ｎリソースを暗黙的に解放するための異なる機構が必要となり得る。
【００５６】
実施形態は、本明細書に開示された方法および技法が、ＷＴＲＵが接続モードで複数のキャリアと動作することを容易にでき、また複数のアップリンクキャリアとのタイムアライメントを維持することもできることを企図している。
【００５７】
実施形態は、ＵＬタイムアライメントのためにＷＴＲＵによって使用されるタイミングアドバンス（ＴＡ）値が、ネットワークによって、ＷＴＲＵのＲＡＣＨ要求メッセージへのランダムアクセスチャネル（ＲＡＣＨ）応答で提供されてもよいし、またはタイミングアドバンスコマンドＭＡＣ制御要素を使用することによって提供されてもよいことを企図している。ＷＴＲＵは、ＵＬタイムアライメントのためにＴＡ値を使用することができる。ＷＴＲＵは、１つのＵＬキャリアがＷＴＲＵに割り当てられ得るので、ＵＬキャリアに関連するＴＡＴを開始／再開してよい。一部の場合では、ＷＴＲＵは、所与のときにそれで動作していることがあるＵＬキャリアのグループについて単一のＴＡで動作するようにＷＴＲＵを実装することによって制約を受けることがある。これは、たとえば、ＵＬキャリアが同じ周波数帯内にあり、共通のＲＦモジュールを使用して送信される場合に当てはまり得る。同じＴＡで動作するキャリアのグループは、本明細書では「ＵＬ  ＣＣセット」と呼ばれることがある。
【００５８】
実施形態は、最小限のシグナリングを必要とし得るＵＬ  ＣＣセットが、同じ周波数帯の一部である１つまたは複数のＵＬキャリアが同じＵＬ  ＣＣセットの一部であると決定することを含んでよいことを企図している。同じ周波数帯の一部でないＵＬキャリアは、同じＵＬ  ＣＣセットの一部でないことがある。実施形態は、ＷＴＲＵおよびネットワークが、どのＵＬキャリアが同じＵＬ  ＣＣセットに属するか前もって知り得ることをも企図している。
【００５９】
実施形態は、ＵＬ  ＣＣセットの定義がＷＴＲＵ能力に依存し得ることを企図している。したがって、ＷＴＲＵは、そのＥ−ＵＴＲＡ能力の一環として、それぞれ異なるＴＡでどのＵＬキャリアが送信され得るかを含めて、情報をネットワークに送信することができる。複数のＴＡで動作できる可能性を、ＷＴＲＵがサポートしている周波数帯に結び付けることができるので、能力を単一の情報要素（「ｍｕｌｔｉｐｌｅＴＡｓｕｐｐｏｒｔ」）として定義することを用いて、ネットワークにこの情報を転送することができる。例示的な符号化は、下記の通りであってよい：
コードポイント０：ＷＴＲＵは複数のＴＡをサポートすることができない；
コードポイント１：ＵＬキャリアが同じ帯域にない場合、ＷＴＲＵはそれぞれ異なるＴＡで動作することができる；および
コードポイント２：ＷＴＲＵは、いずれかのＵＬキャリア対についてそれぞれ異なるＴＡで完全に動作することができる。また、例を挙げると、企図された別の符号化は、下記の通りであってよい：
コードポイント０：ＷＴＲＵは、複数のＴＡをサポートすることができない（たとえば、単一の無線フロントエンドが単一の周波数帯をサポートする）；
コードポイント１：ＵＬキャリアが同じ帯域内にない（たとえば２重の無線フロントエンドがそれぞれ、単一の周波数帯をサポートする）場合、ＷＴＲＵは、最大２つの異なるＴＡで動作することができる；および
コードポイント２：ＷＴＲＵは、任意の数のＵＬキャリアについてそれぞれ異なるＴＡで完全に動作することができる（たとえば、報告されたＷＴＲＵの能力およびＷＴＲＵのクラスによる、周波数帯の任意の組合せへの完全なサポート）。
【００６０】
符号化した情報を使用して、ネットワークは、同じタイミングアドバンスを使用するＵＬキャリアのセット（ＵＬ  ＣＣセット）を定義し、ＷＴＲＵに情報を提供することができる。ネットワークは、それぞれ異なる帯域のＵＬキャリアについて異なるＴＡでＷＴＲＵが動作可能である場合でも、同じＵＬ  ＣＣセット内の異なる帯域からのＵＬキャリアを含むことができる。
【００６１】
一部の実施形態は、各ＵＬ  ＣＣセットごとに数ビット（最大２つのＵＬ  ＣＣがある場合は、恐らく単一ビット）のグループインデックスを定義することによって同じタイミングアドバンスを使用するＵＬキャリアを識別することができる。ＷＴＲＵは、このＵＬキャリアが（たとえばＲＲＣメッセージで）ネットワークによって構成されている場合、ＵＬキャリアが属するＵＬ  ＣＣセットのグループインデックスを取得することができる。あるいは、グループインデックスは、対になったＤＬキャリアのシステム情報でブロードキャストしてもよい。別の代替案では、帯域内で複数のタイミングアドバンスで動作することがサポートされない場合、グループインデックスは、周波数帯に関連しないことがある。
【００６２】
ＷＴＲＵは、各ＵＬキャリアまたはＵＬ  ＣＣセットごとのタイミングアドバンスのための基準として使用できるＤＬキャリア（またはＤＬキャリアのセット）を取得することもできる。あるいは、タイミングアドバンスのための基準として使用できるＤＬキャリアは、暗黙的に、タイミングアドバンス値を含むメッセージがそこから送信されるＤＬキャリアであってよい。
【００６３】
実施形態は、それぞれ異なるＵＬ  ＣＣセットについて異なるＴＡ値をＷＴＲＵが適用できることを企図している。それぞれのＵＬ  ＣＣセットは、別個のタイムアライメントタイマ（ＴＡＴ）で動作してよい。この方法によれば、一実施形態では、初期のタイミングアライメントは、ＲＡＣＨ応答メッセージを使用してＴＡ値がネットワークによってＷＴＲＵに提供され得るランダムアクセスチャネル（ＲＡＣＨ）手順を使用して達成することができる。セットのすべてのキャリア（またはサブセット）がＲＡＣＨ用に構成されるＵＬ  ＣＣセットの場合、ＷＴＲＵは、ＲＡＣＨのために使用され、ランダムアクセス手順をトリガできるキャリアのうちの１つを選択することができる。次いで、ランダムアクセス応答メッセージで受信されたタイミングアドバンスコマンドは、ＵＬ  ＣＣセットの一部またはそれぞれのＵＬキャリアにＴＡ値を適用するために使用することができ、ＷＴＲＵは、ＵＬ  ＣＣセットに関連するＴＡＴを開始／再開してよい。
【００６４】
一部の実施形態では、ＵＬ  ＣＣセット内の１つのキャリアだけがＲＡＣＨ用に構成されてよい。こうした実施形態では、ＷＴＲＵは、このキャリア上でランダムアクセス手順をトリガし、対応するランダムアクセス応答メッセージで取得されたＴＡ値をＵＬ  ＣＣセットの各ＵＬキャリアに適用し、ＵＬ  ＣＣセットに関連するＴＡＴを開始／再開してよい。
【００６５】
他の実施形態では、タイミングアライメントは、既存のＭＡＣ  ＣＥまたは他のいずれかの形のシグナリングによってネットワークから受信されたＴＡ値に基づいてＷＴＲＵによって維持することができる。ＷＴＲＵは、どのＤＬキャリアからコマンド（たとえばタイミングアドバンスコマンドＭＡＣ制御要素）が送信されたに基づいてＴＡ値をどのＵＬ  ＣＣセットに適用してよいか決定することができる。たとえば、ＴＡ値が適用されるＵＬ  ＣＣセットは、このＤＬキャリアと対になるＵＬキャリアが属するＵＬ  ＣＣセットとして決定することができる。ＵＬ  ＣＣセットが周波数帯に対応する場合、ＴＡ値は、コマンドが送信されるＤＬキャリアと同じ帯域のＵＬ  ＣＣセットに適用することができる。あるいは、ＤＬキャリアとＵＬ  ＣＣセットの間の対応は、明示的に知らせることができる。
【００６６】
実施形態は、サービングセルについて周波数帯を定義することができ、たとえばＤＬキャリア、一部の実施形態ではサービングセルを形成するＵＬキャリアについて一緒に定義できることを企図している。またタイミングアドバンスは、同じ周波数帯に対応するサービングセルの一部またはすべてのＵＬキャリアに適用することができる。実施形態は、タイムアライメントコマンド（ＴＡＣ）に適用可能な帯域を識別するための少なくとも２つの技法を企図している。適用可能な帯域は、それ自体が同じ周波数帯の一部であり得る特定のダウンリンクキャリア内のＴＡＣの受信に結び付けてもよいし、結び付けなくてもよい。実施形態は、ＴＡＣが受信され、ＴＡＣが受信されるキャリアの周波数帯の一部またはすべてのＵＬキャリアに適用され得ること（たとえば適用可能な帯域の暗黙的な識別）を企図している。あるいは、またはさらに、ＴＡＣは、どこかで受信され、ＴＡＣ自体の中に示され得る（たとえば適用可能な帯域の明示的な識別）周波数帯のすべてのＵＬキャリアに適用されてよい。
【００６７】
実施形態は、ＴＡを含み得るＭＡＣ  ＣＥを、サービングセルのＤＬ上で受信できることを企図している。ＷＴＲＵは、サービングセルの対応するＵＬ  ＣＣがどのＵＬ  ＣＣセットに属し得るか決定することができる。ＷＴＲＵは、決定されたＵＬ  ＣＣセットに属し得るすべてのサービングセルのＵＬ  ＣＣ（および／またはすべてのＵＬ  ＣＣ）に、受信されたＴＡを適用することができる。実施形態は、ＵＬ  ＣＣをＤＬ  ＣＣと対にすることは一意（たとえば１つのＤＬにつき１つのＵＬ）であってよいことを企図している。実施形態は、対がセットの一部であり得ることをも企図しており、ただし、セットの一部であることの基準は、セットのすべてのＵＬ  ＣＣが同じＴＡ要件を有することであり得る。
【００６８】
あるいは、ＷＴＲＵは、コマンドで明示的に提供されてよいグループインデックスに基づいて、ＴＡ値がどのＵＬ  ＣＣセットに適用されるか決定してもよい。たとえば、既存の「タイミングアドバンスコマンドＭＡＣ制御要素」の２つの予備ビットを使用してもよいし、グループインデックスを含む新しいタイプのＭＡＣ制御要素を定義してもよい。タイミングアドバンスコマンドＭＡＣ  ＣＥが受信される場合、ＷＴＲＵは、グループインデックスを使用してＵＬ  ＣＣセットを識別することができ、対応するＵＬ  ＣＣセットのＴＡＴを開始／再開することができる。
【００６９】
あるいは、ネットワークは、ＷＴＲＵにＴＡ値を提供するために、いずれかの他の形の個別のシグナリングを使用してよい。ネットワークは、このＴＡ値にどのＵＬ  ＣＣセットを関連付けることができるか示すために、このメッセージにＣＣ「グループインデックス」を組み込んでよい。
【００７０】
やはり、あるいはＷＴＲＵは、ＵＬ  ＣＣセットのＴＡＴが終了すると特定のＵＬ  ＣＣセットにＴＡ値を適用するために、上記に述べられた初期ＴＡ確立と同じ手順に従い、ＵＬタイミングアライメントを再確立することができる。必要である場合は、ＴＡの取得を行うことができる。あるいは、ＷＴＲＵは、個別のシグナリングで提供されるグループインデックスに基づいて、対応するＵＬ  ＣＣセットのＴＡを再確立するためにどのＲＡＣＨリソースを使用するか決定することができる。次いで、ＷＴＲＵは、上述されたランダムアクセス手順を繰り返すことができる。
【００７１】
別の案では、ネットワークは、対応するＵＬ  ＣＣセット用に以前に使用されたＴＡ値を提供するために、既存のタイミングアドバンスコマンドＭＡＣ  ＣＥを使用してもよいし、他の任意の形の個別シグナリングを使用してもよい。ネットワークは、ＴＡＴの終了後に、十分な時間量（このために新しいタイマが定義され得る）の範囲内でこの機構を使用することができる。次いで、ＷＴＲＵは、このＴＡ値を使用して、このＵＬ  ＣＣについてのＲＡ手順を実施せずに、対応するＴＡＴを開始／再開することができる。
【００７２】
特定のＵＬ  ＣＣセットについて（または単一のＴＡＴがある場合、すべての構成されたＵＬ  ＣＣについて）ＴＡＴが終了すると、ＷＴＲＵは、ＵＬ  ＣＣセットのＵＬキャリア部分のＵＬ−ＳＣＨに対応するすべてのＨＡＲＱバッファをフラッシュしてよい。
【００７３】
対応するローカルのＮＡＣＫもまた、ＲＬＣサブレイヤに示すことができる。ＵＬ  ＣＣセットの一部であるＵＬキャリアの任意の物理アップリンク制御チャネル（ＰＵＣＣＨ）またはＳＲＳ構成を、ＴＡＴが終了すると解放することができる。ＰＣｅｌｌ  ＤＬなどの特定のＤＬキャリアを除いて、こうしたＰＵＣＣＨを介してフィードバックが送信されるどんなＤＬキャリアについても、ＷＴＲＵは、下記のうちの少なくとも１つを実施することができる。ＷＴＲＵは、このＤＬキャリアについてＰＤＳＣＨ処理（たとえばバッファリング／復号化）を停止し、ＤＬキャリアを非アクティブ化し、このＤＬキャリアのＰＤＳＣＨ構成を解放し、このＤＬキャリアについてＰＤＣＣＨ構成を解放し、このＤＬキャリアに適用可能なＰＲＡＣＨ構成を解放し、かつ／またはＤＬキャリアに関係する構成のどんな部分をも解放する。
【００７４】
ＵＬ  ＣＣセットのＵＬキャリア部分に適用可能などんなアップリンク許可も、終了時にクリアすることができる。さらに、ＵＬ  ＣＣセットの一部であってよいＵＬキャリアに対応するリソース上でフィードバックをそれについて提供できるどんなダウンリンク割当てをもクリアすることができる。
【００７５】
ＵＬ  ＣＣセットの一部であるＵＬキャリア上のＰＵＳＣＨ構成は、解放することができる。しかし、これは、ＰＣｅｌｌ  ＵＬなど、特定のＵＬキャリアには適用することができない。
【００７６】
ＵＬ  ＣＣセットの一部であるＵＬキャリア上のＰＵＳＣＨは、非アクティブ化することができる。しかし、これは、ＰＣｅｌｌ  ＵＬなど、特定のＵＬキャリアには適用することができない。これらのキャリア上のＰＵＳＣＨは、ＵＬ  ＣＣセットに適用可能なタイミングアドバンスコマンドがその後に受信されると、非アクティブ化されてよい。
【００７７】
個別のシグナリングを使用して受信できるＰＵＣＣＨ構成、たとえばＵＬ  ＣＣセットの一部であるＷＴＲＵの構成のＵＬ  ＣＣ（たとえばＰＣｅｌｌ  ＵＬ）の、複数のＤＬ  ＣＣに対応する制御情報のためのＨＡＲＱ  Ａ／Ｎおよび／またはＣＱＩ／ＰＭＩ／ＲＩへの明示的なリソース割当てのためのＲ１０構成が、無効にされてよい。たとえば、ＷＴＲＵは、個別のＰＵＣＣＨ構成（の少なくとも一部）を維持してよいが、恐らくＷＴＲＵがＵＬ  ＣＣに有効なタイミングアドバンスを有するまで、構成に対応するリソース上で送信しないことがある。これは、ＰＣｅｌｌ  ＵＬのＴＡＴが終了するからであり、ＷＴＲＵは、ＰＣｅｌｌ  ＵＬ上のＰＵＣＣＨ  Ａ／Ｎを無効にし／削除し、Ｒ８／９  Ａ／Ｎ動作に戻ってよい。ＷＴＲＵは、ＵＬ  ＣＣ（たとえばＰＣＣ）で送信されたＨＡＲＱフィードバック用のＡ／Ｎリソースを動的に選択することに戻ることができ、かつ／または、ＷＴＲＵは、ＣＱＩ／ＰＭＩ／ＲＩのＰＵＣＣＨリソース上のＣＱＩ／ＰＭＩ／ＲＩの送信を停止することができる。
【００７８】
個別のシグナリングを使用して受信されてよいＰＵＣＣＨ構成を解放することもでき、たとえばＷＴＲＵは、個別のＰＵＣＣＨ構成を完全に削除してもよいし、少なくとも一部を削除してもよい。たとえば、ＵＬ  ＣＣの一部であるＷＴＲＵの構成のＵＬ  ＣＣ（たとえばＰＣｅｌｌ  ＵＬ）の、複数のＤＬ  ＣＣに対応する制御情報のためのＨＡＲＱ  Ａ／Ｎおよび／またはＣＱＩ／ＰＭＩ／ＲＩへの明示的なリソース割当てのためのＲ１０構成が解放されてよい。ＷＴＲＵは、ＵＬ  ＣＣ（たとえばＰＣＣ）で送信されたＨＡＲＱフィードバック用のＡ／Ｎリソースを動的に選択することに戻ることができ、かつ／または、ＷＴＲＵは、ＣＱＩ／ＰＭＩ／ＲＩのＰＵＣＣＨリソース上のＱＩ／ＰＭＩ／ＲＩの送信を停止することができる。
【００７９】
一例として、ＰＣｅｌｌ  ＵＬのＴＡＴが終了すると、ＷＴＲＵは、明示的なＲ１０  ＰＵＣＣＨ  Ａ／Ｎリソース割当てを無効にし、かつ／またはＰＣｅｌｌ  ＵＬのＣＱＩ／ＰＭＩ／ＲＩのためのＲ１０  ＰＵＣＣＨ構成を解放してよい。
【００８０】
（ＰＵＣＣＨとＰＣＣが切り離され、ＰＣｅｌｌ  ＤＬに基づいてＰＣｅｌｌ  ＵＬが定義され得ると多分見なして）ＰＵＣＣＨ構成を有するＳＣｅｌｌ  ＵＬのＴＡＴが終了するので、ＷＴＲＵは、ＰＣｅｌｌ  ＵＬのＰＵＣＣＨ構成に切り換わることができる。ＵＬ  ＣＣがタイムアライメントされていると依然として見なされている（たとえば、ＵＬ  ＣＣは、ＴＡがもはや有効でないＵＬ  ＣＣセットの一部ではない）ＷＴＲＵ構成のＵＬ  ＣＣ（たとえばＰＣｅｌｌ  ＵＬ）の個別ＰＵＣＣＨ構成（複数のＤＬ  ＣＣに対応する制御情報用のＨＡＲＱ  Ａ／Ｎおよび／またはＣＱＩ／ＰＭＩ／ＲＩのためのＲ１０構成）を再構成することができる。たとえば、ＷＴＲＵは、有効なＴＡを依然として有し得るＵＬ  ＣＣ上の再構成されたリソース（たとえばＰＣｅｌｌ  ＵＬ）に関するアップリンク制御情報をＷＴＲＵが送信するように、そのＰＵＣＣＨ  Ａ／Ｎ構成から異なるリソースを選んでよい。また、例を挙げると、これは、第１のＵＬ  ＣＣについてＴＡが失われるとき第１のＵＬ  ＣＣ上の構成されたリソース（たとえばＡ／Ｎ用）と、第２のＵＬ  ＣＣ上の構成されたリソース（たとえばＰＣｅｌｌ  ＵＬ）との間の切換え、または１つまたは複数のＳ  ＣｅｌｌについてＴＡが終了すると（また恐らく暗黙的な非アクティブ化が行われると）、たとえばＰＣＣ上で異なる専用のリソース（たとえばＣＱＩ／ＰＭＩ／ＲＩ用）を使用することに等価と見なすことができる。
【００８１】
ＴＡＴが終了するので、ＷＴＲＵは、ＰＣｅｌｌ  ＤＬのＲＡＣＨを実施することだけが許され得る。実施形態は、ＴＡがもはや有効でないことがあるＵＬ  ＣＣセットの一部であるＳＣｅｌｌ  ＵＬに対応するそのＲＡＣＨリソースをＷＴＲＵが無効にし、かつ／またはＷＴＲＵの構成から削除できることを企図している。換言すると、一部の実施形態では、ＷＴＲＵは、Ｒ８／９選択および送信原理に従って単一のキャリア操作を使用してＵＬ／ＤＬ  ＣＣ対（たとえばＰＣｅｌｌ）上でランダムアクセス（ＲＡＣＨ）だけを開始することができる。
【００８２】
また、ＴＡＴが終了するので、ＷＴＲＵは、有効なＴＡを後に取り戻すことができ、ＷＴＲＵは、その構成のすべてのＵＬ／ＤＬ  ＣＣ対のＲ８／９に戻ってよい。ＷＴＲＵは、ＵＬ  ＣＣに有効なＴＡをその後に回復する場合、ＰＵＣＣＨ上のＡ／Ｎ送信のためのＲ８／９動作に戻り、ＵＬ  ＣＣのＰＵＣＣＨリソース上で送信することに戻ることができ、このリソースは、下記の少なくとも１つに基づいて決定される：ＤＬ割当てのためにＷＴＲＵがＰＤＣＣＨの復号化に成功する、ＤＬ  ＣＣのＵＬ／ＤＬリンク付け；または、対応するＤＬ  ＣＣ（たとえばＰＣＣ用）のＳＩでブロードキャストされ、または個別のやり方で（たとえばＳＣＣ用に）受信されたＰＵＣＣＨ領域内のリソースの使用。
【００８３】
一例として、ＴＡＴが終了すると、ＷＴＲＵは、その構成のＳＣｅｌｌ内でランダムアクセスを実施するためのリソースを含めて、ＷＴＲＵのマルチキャリア構成を維持することができ、この場合、各ＣＣ対（たとえばＷＴＲＵの構成のＰＣｅｌｌまたはＳＣｅｌｌ対）について、ＷＴＲＵは、たとえばランダムアクセス手順の間にＴＡコマンドを受信するとき、有効なＴＡを回復すると、ＰＵＣＣＨ上のＡ／Ｎ送信にＲｅｌ−８／９動作を適用することができる
【００８４】
実施形態は、サービングセルが、タイマ終了前のダウンリンク１次キャリア（たとえばＰＣｅｌｌ）に対応することがあり、または、ＷＴＲＵがＵＬ  ＣＣセットに有効なタイムアライメントをもたない（たとえば、タイミングアドバンスタイマが実行されていない）場合、ＷＴＲＵが単一のキャリア（たとえばＲ８／９）操作に戻ってよいことを企図している。
【００８５】
上述された方法はすべて、ＴＡＴ終了に適用可能であってよく、暗黙的なＳＣｅｌｌ非アクティブ化（Ａ／ＮおよびＣＱＩ）に等しく適用可能とすることもできる。また上記方法は、ＳＣｅｌｌの非アクティブ化（非アクティブ化されたＳＣｅｌｌに対応するアップリンクリソースをＷＴＲＵが使用することを禁じるという点で類似の特性を有するが、たとえばＴＡＴと異なるタイマを使用した明示的または暗黙的な非アクティブ化）、またはＷＴＲＵ構成のＵＬ  ＣＣ（たとえば  ＳＣｅｌｌ  ＵＬ）を削除する明示的な再構成が行われると適用可能であってよい。
【００８６】
さらに、上記方法では、ＷＴＲＵは、ＰＵＣＣＨ上のＡ／Ｎの送信のためにＲ８／９動作に戻ってよい（たとえばＰＵＣＣＨリソースの動的な選択）。たとえば、ＴＡＴは、終了することがあり、ＷＴＲＵは、少なくとも１つのＳＣｅｌｌ  ＤＬを含めて構成を有することができ、サブフレーム内で２つ以上のキャリアについてのアップリンク制御情報を送信する手段をＷＴＲＵがまず回復するまで、たとえばＷＴＲＵが再構成されるまで、ＷＴＲＵが２つ以上のＤＬ  ＣＣの間、ＨＡＲＱ  Ａ／Ｎフィードバックおよび／またはＣＱＩ／ＰＭＩ／ＲＩを送信することが不可能となり得る（たとえばＷＴＲＵが複数のＤＬ  ＣＣを有し、ＲＡＣＨ手順の間、Ａ／Ｎ用の単一のＲ８／９  ＰＵＣＣＨリソースだけをＷＴＲＵが使用できる状況になり得る）。具体的には、ＷＴＲＵがランダムアクセス手順の間に単一のＵＬ  ＣＣ（たとえばＰＣｅｌｌ  ＵＬ）内にＡ／Ｎフィードバックだけを送信してよい場合、ランダムアクセスでは、再構成は、コンテンションベースのＲＡではＲＡ「ｍｓｇ４」の受信より後に起こることも、コンテンションなしのＲＡの場合ではＲＡ「ｍｓｇ２」の受信の後に続く第１のＰＤＳＣＨ割当てより後に起こることもある。
【００８７】
実施形態は、所与のサブフレームでＷＴＲＵが２つ以上のＤＬ割当てを受信する（ＷＴＲＵが所与のサブフレームで複数のＰＤＣＣＨの復号化に成功し得る）場合、ＰＣｅｌｌ  ＤＬのＰＤＳＣＨを考慮できるＷＴＲＵは、ＰＣｅｌｌ  ＤＬ上だけで受信されるＤＬ割当てに従ってＡ／Ｎフィードバックを生成することができる。
【００８８】
ＷＴＲＵが所与のサブフレームで２つ以上のＤＬ割当てを受信する（ＷＴＲＵが所与のサブフレームで複数のＰＤＣＣＨの復号化に成功し得る）場合、進行中のＲＡＣＨ手順に使用されたＤＬ  ＣＣのＰＤＳＣＨについて考慮することができるＷＴＲＵは、たとえばＲＡ  ｍｓｇ１（たとえばＲＡＣＨプリアンブル）の送信用に使用されたＵＬ  ＣＣに関連する／リンクされたＤＬ  ＣＣ上で受信されたＤＬ送信、および／またはＲＡ  ｍｓｇ３の送信（たとえば以前に受信されたＲＡ応答で許可されたリソースを使用した送信）へのＡ／Ｎフィードバックを生成してよい。
【００８９】
上記に述べられた実施形態のいずれについても、ＷＴＲＵは、（Ａ／Ｎのために）Ｒ８／９選択および送信に従ってＰＣｅｌｌ  ＵＬ上のＰＵＣＣＨリソースで送信することができ、またはＷＴＲＵは、ＰＣｅｌｌ  ＵＬ上でＲ８／９  Ａ／Ｎを送信してよい。ＷＴＲＵは、Ｒ８／９選択および送信に従って、Ａ／Ｎフィードバックがそのために生成されたＤＬ  ＣＣに関連する／リンクされたＵＬ  ＣＣ上のＰＵＣＣＨリソース上で送信することも、リンクされたＳＣｅｌｌ  ＵＬ上でＲ８／９  Ａ／Ｎを送信することもでき、または、ＷＴＲＵは、送信を控えてよく、たとえばＷＴＲＵは、フィードバックを送信しないことがあり、送信されたＤＬ割当てを恐らく無視することも、これをエラー状況と見なすこともある。
【００９０】
同じ周波数帯のすべてのＵＬキャリア部分が同じＵＬ  ＣＣセットの一部であると決定することを含む、複数のアップリンクキャリアとのタイムアライメントを維持するための方法が開示される。ＷＴＲＵは、各ＵＬ  ＣＣセットの数ビットのグループインデックスを定義することによって、複数のＴＡを使用できることを知らせる。ランダムアクセス応答メッセージで受信されたタイミングアドバンスコマンドは、ＵＬ  ＣＣセットの各ＵＬキャリアにＴＡ値を適用するために使用される。ＷＴＲＵは、たとえばタイミングアドバンスコマンドＭＡＣ制御要素によって、どのＤＬキャリアからコマンドが送信されたかに基づいて、どのＵＬ  ＣＣセットにＴＡ値を適用するか決定することができる。ＷＴＲＵは、コマンドで明示的に提供されているグループインデックスに基づいて、どのＵＬ  ＣＣ  セットにＴＡ値を適用するか決定することができる。ＷＴＲＵは、ＴＡＴが終了すると、マルチキャリア構成（たとえば１つまたは複数のＳＣｅｌｌｓの構成）の少なくとも一部を解放する。たとえば、ＷＴＲＵは、それぞれのＳＣｅｌｌ  ＵＬが、タイミングアライメントがもはや有効でないＵＬ  ＣＣセットの一部であるすべてのＳＣｅｌｌの構成を解放してよい。あるいは、たとえばＷＴＲＵは、ＰＣｅｌｌのタイミングアライメントがもはや有効でない場合、すべてのＳＣｅｌｌｓの構成を解放してよい。
【００９１】
ＷＴＲＵおよび／または基地局（または基地局もしくはｅＮｏｄｅ  Ｂ）の機能または能力を対象とする本明細書に述べられた諸実施形態のいずれもが、開示された機能または能力を実施するように構成された１つまたは複数のプロセッサによって実装されてよいことを理解されたい。たとえば、図１Ｂに関して述べられたプロセッサ１１８は、本明細書に全体的または部分的に開示された様々なＷＴＲＵ機能および能力の一部またはすべてを実施するように構成されてよい。また、例を挙げると、図１Ｃに関して述べられた基地局（基地ノード）またはｅＮｏｄｅ  Ｂに含まれたプロセッサは、本明細書に全体的または部分的に開示された様々な基地ノードまたはｅＮｏｄｅ  Ｂ機能および能力の一部またはすべてを実施するように構成されてよい。
【００９２】
図２では、例示的な実施形態は、少なくとも一部は、２０２で、ＷＴＲＵがそれで動作可能であり得る１つまたは複数のアップリンクキャリア、または無線通信網内で動作可能であってよい１つまたは複数のアップリンクキャリアを識別するように構成され得るワイヤレス送受信ユニット（ＷＴＲＵ）を企図している。２０４で、ＷＴＲＵは、１つまたは複数のアップリンクコンポーネントキャリアセット（ＵＬ  ＣＣセット）を決定するように構成することもできる。ＵＬ  ＣＣセットはそれぞれ、アップリンクキャリアのうちの１つまたは複数を備えてよく、各々のＵＬ  ＣＣセットを備えてよい１つまたは複数のアップリンクキャリアはそれぞれ、同じタイミングアドバンス（ＴＡ）で動作可能であってよい。ＷＴＲＵは、１つまたは複数のアップリンクキャリアのどれが１つまたは複数のＵＬ  ＣＣセットに対応し得るかの所定の識別に基づいてＵＬ  ＣＣセットの１つまたは複数のグループを決定するように構成されてよい。２０６で、ＷＴＲＵは、少なくとも１つのＵＬ  ＣＣセットを選択し、２０８で、選択された少なくとも１つのＵＬ  ＣＣセットのランダムアクセスチャネル（ＲＡＣＨ）通信が可能であってよい１つまたは複数のアップリンクキャリアのうちの少なくとも１つを識別するようにするように構成することもできる。２１０で、ＷＴＲＵは、選択された少なくとも１つのＵＬ  ＣＣセットについて、識別された１つまたは複数のアップリンクキャリアのうちの少なくとも１つのキャリア上でＲＡＣＨ通信を開始して、２１２で、ＲＡＣＨ通信に応答してＴＡ値を受信するように構成されてよい。ＷＴＲＵは、２１４で、選択された少なくとも１つのＵＬ  ＣＣセットを備える１つまたは複数のアップリンクキャリアの各々にＴＡ値を適用するようにさらに構成されてよい。
【００９３】
実施形態は、選択された少なくとも１つのＵＬ  ＣＣセットが、関連するタイムアライメントタイマ（ＴＡＴ）を有することができ、２１６で、ＷＴＲＵがＴＡＴを開始し、またはＴＡＴを再開するようにさらに構成されてよいことを企図している。図３を参照すると、ＷＴＲＵは、３０２で、信号がＴＡ値を含み得るダウンリンクキャリアを介して信号を受信するように構成することもできる。ＷＴＲＵは、３０４で、ダウンリンクキャリアと対になり得る１つまたは複数のアップリンクキャリアのうちの少なくとも１つを識別し、３０６で、ダウンリンクキャリアと対になり得る１つまたは複数のアップリンクキャリアのうちの少なくとも１つに対応し得る１つまたは複数のＵＬ  ＣＣセットのうちの少なくとも１つを識別することができる。ＷＴＲＵは、３０８で、１つまたは複数のＵＬ  ＣＣセットのうちの識別された少なくとも１つを備える１つまたは複数のアップリンクキャリアのそれぞれにＴＡ値を適用してよい。
【００９４】
図４を参照すると、実施形態は、１つまたは複数のＵＬ  ＣＣセットが、各々の周波数帯に対応してよく、ＷＴＲＵが、４０２で、信号がＴＡ値を含み得るダウンリンクキャリアを介して信号を受信するよう構成され得ることを企図している。ＷＴＲＵは、４０４で、ダウンリンクキャリアに対応する周波数帯を識別し、それぞれの周波数帯がダウンリンクキャリアの周波数帯に対応し得る１つまたは複数のＵＬ  ＣＣセットのうちの少なくとも１つを識別するように構成されてよい。ＷＴＲＵは、４０６で、１つまたは複数のＵＬ  ＣＣセットのうちの識別された少なくとも１つを備えてよい１つまたは複数のアップリンクキャリアのそれぞれにＴＡ値を適用してよい。
【００９５】
図５を参照すると、実施形態は、選択された少なくとも１つのＵＬ  ＣＣセットが、個別の物理アップリンク制御チャネル（ＰＵＣＣＨ）構成を有する少なくとも１つのアップリンクキャリアを含んでよいことを企図している。ＷＴＲＵは、５０２で、ＴＡＴが終了すると、ＰＵＣＣＨに対応するリソース上で送信するのをやめるように構成されてよい。あるいは、またはさらに、ＷＴＲＵは、５０４で、ＴＡＴが終了すると、ＰＵＣＣＨ構成の少なくとも一部を削除するように構成されてよい。やはり、あるいはまたはさらに、ＷＴＲＵは、５０６で、ＴＡＴが終了すると、選択された少なくとも１つのＵＬ  ＣＣセットの構成から１つまたは複数のＲＡＣＨリソースを削除するように構成されてよい。
【００９６】
図６を参照すると、実施形態は、進化型Ｎｏｄｅ  Ｂ（ｅＮｏｄｅ  Ｂ）などのワイヤレスネットワークリソースが少なくとも一部、６０２で、ｅＮｏｄｅ  Ｂ（または無線ネットワーク）がそれで動作可能であり得る１つまたは複数のアップリンクキャリアを識別するように構成されてよい。ｅＮｏｄｅ  Ｂは、６０４で、１つまたは複数のインデックスを決定するように構成されてよい。１つまたは複数のインデックスはそれぞれ、１つまたは複数のアップリンクコンポーネントキャリアセット（ＵＬ  ＣＣセット）にそれぞれ対応してよい。また、ＵＬ  ＣＣセットはそれぞれ、アップリンクキャリアのうちの１つまたは複数を備えてよく、各々のＵＬ  ＣＣセットを備える１つまたは複数のアップリンクキャリアがそれぞれ、同じタイミングアドバンス（ＴＡ）で動作可能であってよい。ｅＮｏｄｅ  Ｂは、６０６で、１つまたは複数のインデックスを送信するように構成されてよい。
【００９７】
実施形態は、ｅＮｏｄｅ  Ｂが、６０８で、１つまたは複数のＵＬ  ＣＣセットのうちの少なくとも１つを備える１つまたは複数のアップリンクキャリアのうちの少なくとも１つのキャリア上でＲＡＣＨ通信を受信するように構成されてよく、６１０で、ＲＡＣＨ通信に応答してＴＡ値を送信してよいことを企図している。ＴＡ値は、１つまたは複数のＵＬ  ＣＣセットのうちの少なくとも１つを備える１つまたは複数のアップリンクキャリアのそれぞれに適用可能あってよい。あるいはまたはさらに、ｅＮｏｄｅ  Ｂは、６１２で、ＴＡ値とインジケータとを含んでよい信号を送信するように構成されてよい。インジケータは、たとえばグループインデックスであってよい。インジケータは、ＴＡ値が適用可能であり得る１つまたは複数のＵＬ  ＣＣセットのうちの少なくとも１つを示してよい。
【００９８】
特徴および要素について上記に特定の組合せで述べられたが、それぞれの特徴または要素は、単独に使用されてもよいし、他の特徴および要素との任意の組合せで使用されてもよいことが当業者には理解されよう。さらに、本明細書に述べられた方法は、コンピュータまたはプロセッサによって実行するためにコンピュータ読取り可能媒体に組み込まれたコンピュータプログラム、ソフトウェアまたはファームウェアで実装されてよい。コンピュータ読取り可能媒体の例は、電子信号（有線接続または無線接続を介して送信される）およびコンピュータ読取り可能記憶媒体を含む。コンピュータ読取り可能記憶媒体の例には、それだけに限らないが、読取り専用メモリ（ＲＯＭ）、ランダムアクセスメモリ（ＲＡＭ）、レジスタ、キャッシュメモリ、半導体記憶デバイス、内部ハードディスクおよび取外し可能ディスクなどの磁気媒体、磁気光媒体、ならびにＣＤ−ＲＯＭディスクおよびＤＶＤ（ｄｉｇｉｔａｌ  ｖｅｒｓａｔｉｌｅ  ｄｉｓｋ）などの光媒体が含まれる。ＷＴＲＵ、ＵＥ、端末、基地局、ＲＮＣまたは任意のホストコンピュータで使用する無線周波数トランシーバを実装するために、ソフトウェアに関連するプロセッサが使用されてよい。
【図１Ａ】
2013516917.tif 000003
【図１Ｂ】
2013516917.tif 000004
【図１Ｃ】
2013516917.tif 000005
【図２】
2013516917.tif 000006
【図３】
2013516917.tif 000007
【図４】
2013516917.tif 000008
【図５】
2013516917.tif 000009
【図６】
2013516917.tif 000010
【手続補正書】
【提出日】平成24年3月27日(2012.3.27)
【手続補正１】
【補正対象書類名】特許請求の範囲
【補正対象項目名】全文
【補正方法】変更
【補正の内容】
【特許請求の範囲】
【請求項１】
プロセッサを備えたワイヤレス送受信ユニット（ＷＴＲＵ）であって、
前記プロセッサは、少なくとも一部は、
前記ＷＡＴＵがそれで動作可能な１つまたは複数のアップリンクキャリアを識別し、
構成されたアップリンクコンポーネントキャリア（ＵＬ  ＣＣセット）を有する１つまたは複数のサービングセルセットを決定するように構成され、前記ＵＬ  ＣＣセットはそれぞれ、前記アップリンクキャリアのうちの１つまたは複数を備え、各々のＵＬ  ＣＣセットを備える前記１つまたは複数のアップリンクキャリアはそれぞれ、同じタイミングアドバンス（ＴＡ）でかつダウンリンク（ＤＬ）タイミング基準としてのダウンリンク（ＤＬ）キャリアで動作可能であり、前記プロセッサはさらに、
ＴＡ値を含む信号を受信し、
前記ＤＬキャリアが前記タイミング基準である前記１つまたは複数のＵＬ  ＣＣセットのうちの少なくとも１つを識別し、
前記ＤＬキャリアが前記タイミング基準である前記１つまたは複数のＵＬ  ＣＣセットのうちの前記少なくとも１つに対応する前記１つまたは複数のアップリンクキャリアのうちの少なくとも１つを識別するように構成されることを特徴とするＷＴＲＵ。
【請求項２】
前記プロセッサは、
少なくとも１つのＵＬ  ＣＣセットを選択し、
前記選択された少なくとも１つのＵＬ  ＣＣについて、ランダムアクセスチャネル（ＲＡＣＨ）通信が可能な前記１つまたは複数のアップリンクキャリアのうちの少なくとも１つを識別し、
前記選択された少なくとも１つのＵＬ  ＣＣについて、前記識別された１つまたは複数のアップリンクキャリアのうちの少なくとも１つのキャリア上でＲＡＣＨ通信を開始し、
前記ＲＡＣＨ通信に応答してＴＡ値を受信するようにさらに構成されることを特徴とする請求項１に記載のＷＴＲＵ。
【請求項３】
前記プロセッサは、前記選択された少なくとも１つのＵＬ  ＣＣセットを備える前記１つまたは複数のアップリンクキャリアのそれぞれに前記ＴＡ値を適用するようにさらに構成されることを特徴とする請求項２に記載のＷＴＲＵ。
【請求項４】
前記ＴＡ値は、前記ＲＡＣＨ通信に応答して受信されたランダムアクセス応答メッセージで受信されたタイミングアドバンスコマンドを使用して適用されることを特徴とする請求項３に記載のＷＴＲＵ。
【請求項５】
前記選択された少なくとも１つのＵＬ  ＣＣセットは、関連するタイムアライメントタイマ（ＴＡＴ）を有しており、前記プロセッサは、前記ＴＡＴを開始し、または前記ＴＡＴを再開するようにさらに構成されることを特徴とする請求項３に記載のＷＴＲＵ。
【請求項６】
前記プロセッサは、
前記１つまたは複数のＵＬ  ＣＣセットのうちの前記識別された少なくとも１つを備える前記１つまたは複数のアップリンクキャリアのそれぞれに前記ＴＡ値を適用するようにさらに構成され、前記ＴＡ値は、前記ＤＬタイミング基準に対するタイミング調整であることを特徴とする請求項１に記載のＷＴＲＵ。
【請求項７】
前記信号は、タイミングアドバンスコマンドメディアアクセス制御（ＭＡＣ）制御要素をさらに含むことを特徴とする請求項１に記載のＷＴＲＵ。
【請求項８】
前記１つまたは複数のＵＬ  ＣＣセットは、それぞれの周波数帯に対応し、前記プロセッサは、
前記ダウンリンクキャリアに対応する周波数帯を識別し、
その各々の周波数帯が前記ダウンリンクキャリアの前記周波数帯に対応する前記１つまたは複数のＵＬ  ＣＣセットのうちの少なくとも１つを識別し、
前記１つまたは複数のＵＬ  ＣＣセットのうちの前記識別された少なくとも１つを備える前記１つまたは複数のアップリンクキャリアのそれぞれに前記ＴＡ値を適用するようにさらに構成されることを特徴とする請求項１に記載のＷＴＲＵ。
【請求項９】
前記選択された少なくとも１つのＵＬ  ＣＣセットは、個別の物理アップリンク制御チャネル（ＰＵＣＣＨ）構成を有する少なくとも１つのアップリンクキャリアを含み、前記プロセッサは、前記ＴＡＴが終了すると、前記ＰＵＣＣＨに対応するリソース上で送信するのをやめるようにさらに構成されることを特徴とする請求項５に記載のＷＴＲＵ。
【請求項１０】
前記選択された少なくとも１つのＵＬ  ＣＣセットは、個別の物理アップリンク制御チャネル（ＰＵＣＣＨ）構成またはサウンディング基準信号（ＳＲＳ）構成のうちの少なくとも１つを有する少なくとも１つのアップリンクキャリアを含み、前記プロセッサは、前記ＴＡＴが終了すると、前記ＰＵＣＣＨ構成または前記ＳＲＳ構成の少なくとも一部を削除するようにさらに構成されることを特徴とする請求項５に記載のＷＴＲＵ。
【請求項１１】
前記プロセッサは、前記ＴＡＴが終了すると、前記選択された少なくとも１つのＵＬ  ＣＣセットに対応する１つまたは複数のハイブリッド自動反復要求（ＨＡＲＱ）バッファを削除するようにさらに構成されることを特徴とする請求項５に記載のＷＴＲＵ。
【請求項１２】
タイミングアドバンスを確立するための方法であって、
ワイヤレス通信網上で動作する１つまたは複数のアップリンクキャリアを識別するステップと、
構成されたアップリンクコンポーネントキャリア（ＵＬ  ＣＣセット）を有する１つまたは複数のサービングセルセットを決定するステップであって、前記ＵＬ  ＣＣセットはそれぞれ、前記アップリンクキャリアのうちの１つまたは複数を備え、各々のＵＬ  ＣＣセットを備える前記１つまたは複数のアップリンクキャリアはそれぞれ、同じタイミングアドバンス（ＴＡ）でかつダウンリンク（ＤＬ）タイミング基準としてのダウンリンク（ＤＬ）キャリアで動作可能である、ステップと、
ＴＡ値を含む信号を受信するステップと、
前記ＤＬキャリアが前記タイミング基準である前記１つまたは複数のＵＬ  ＣＣセットのうちの少なくとも１つを識別するステップと、
前記ＤＬキャリアが前記タイミング基準である前記１つまたは複数のＵＬ  ＣＣセットのうちの前記少なくとも１つに対応する前記１つまたは複数のアップリンクキャリアのうちの少なくとも１つを識別するステップとを備えることを特徴とする方法。
【請求項１３】
少なくとも１つのＵＬ  ＣＣセットを選択するステップと、
前記選択された少なくとも１つのＵＬ  ＣＣセットについて、ランダムアクセスチャネル（ＲＡＣＨ）通信可能な前記１つまたは複数のアップリンクキャリアのうちの少なくとも１つを識別するステップと、
前記選択された少なくとも１つのＵＬ  ＣＣセットについて、前記識別された１つまたは複数のアップリンクキャリアのうちの少なくとも１つのキャリア上でＲＡＣＨ通信を開始するステップと、
前記ＲＡＣＨ通信に応答してＴＡ値を受信するステップとをさらに備えることを特徴とする請求項１２に記載の方法。
【請求項１４】
前記選択された少なくとも１つのＵＬ  ＣＣセットを備える前記１つまたは複数のアップリンクキャリアのそれぞれに前記ＴＡ値を適用するステップと、
タイムアライメントタイマ（ＴＡＴ）の開始または再開のうちの少なくとも１つを実行するステップであって、前記ＴＡＴは、前記選択された少なくとも１つのＵＬ  ＣＣセットに関連付けられる、ステップと
をさらに備えることを特徴とする請求項１３に記載の方法。
【請求項１５】
前記１つまたは複数の  ＵＬ  ＣＣセットのうちの前記識別された少なくとも１つを備える前記１つまたは複数のアップリンクキャリアのそれぞれに前記ＴＡ値を適用するステップ
をさらに備え、前記ＴＡ値は、前記ＤＬタイミング基準に対するタイミング調整であることを特徴とする請求項１２に記載の方法。
【国際調査報告】
2013516917.tif 000011
2013516917.tif 000012